(57)【要約】【課題】病理医による迅速な診断を実現すること。【解決手段】本発明のある実施の形態において、情報配信器５は、診断対象の染色標本を撮像した染色標本画像から要診断領域を抽出する要診断領域抽出処理部５４１と、複数の病理診断装置７を操作する病理医の中から診断を依頼する依頼先病理医を確定する診断依頼可否判定部５６２と、少なくとも要診断領域の画像データに対し、予め設定されている依頼先病理医の観察手技に応じた画像処理を施して提供情報を作成する提供情報作成部５４４と、依頼先病理医の病理診断装置７に提供情報を少なくとも含む診断情報を配信する提供情報配信処理部５６３とを備える。【選択図】図３
2011181015.tif 000002
【特許請求の範囲】
【請求項１】
異なる病理医が操作する複数の病理診断装置と通信接続可能に構成され、前記病理診断装置に対して診断情報を配信する診断情報配信装置であって、
診断対象の標本を撮像した標本画像を取得する画像取得手段と、
前記標本画像から要診断領域を抽出する要診断領域抽出手段と、
前記複数の病理診断装置を操作する病理医の中から診断を依頼する依頼先病理医を選択する病理医選択手段と、
少なくとも前記要診断領域の画像データに対し、予め設定されている前記依頼先病理医の観察手技に応じた画像処理を施して提供情報を作成する提供情報作成手段と、
前記依頼先病理医の前記病理診断装置に前記提供情報を含む診断情報を配信する提供情報配信手段と、
を備えることを特徴とする診断情報配信装置。
【請求項２】
少なくとも前記要診断領域を構成する各画素の画素値をもとに前記要診断領域の特徴量を算出する特徴量算出手段を備え、
前記提供情報作成手段は、前記特徴量を用いて前記提供情報を作成することを特徴とする請求項１に記載の診断情報配信装置。
【請求項３】
前記特徴量算出手段は、前記要診断領域から前記標本を構成する所定の構成要素の画素を抽出することによって前記特徴量を算出し、
前記提供情報作成手段は、前記要診断領域内の前記所定の構成要素の領域を識別表示した画像を生成する識別画像生成手段を有することを特徴とする請求項２に記載の診断情報配信装置。
【請求項４】
前記標本は、所定の染色色素で染色された染色標本であり、
前記画像取得手段は、前記標本画像として分光スペクトル画像を取得し、
前記特徴量算出手段は、前記分光スペクトル画像の画素値をもとに、前記要診断領域を構成する画素毎に、対応する前記標本上の標本点における前記染色色素の色素量を推定することによって前記特徴量を算出し、
前記提供情報作成手段は、前記要診断領域内の各画素について推定された色素量をもとに、各画素位置における色素量を表した画像を生成する色素量画像生成手段を有することを特徴とする請求項２に記載の診断情報配信装置。
【請求項５】
前記病理医選択手段は、前記病理診断装置の病理医それぞれの少なくとも診断実績情報をもとに、前記依頼先病理医を選択することを特徴とする請求項１に記載の診断情報配信装置。
【請求項６】
前記特徴量算出手段によって算出された前記特徴量をもとに前記要診断領域の統計量を算出する統計量算出手段を備え、
前記病理医選択手段は、前記統計量を加味して前記依頼先病理医を選択することを特徴とする請求項５に記載の診断情報配信装置。
【請求項７】
前記統計量をもとに、前記要診断領域に映る部位が癌である可能性の度合いを示す癌可能性度を推定する癌可能性度推定手段を備え、
前記病理医選択手段は、前記癌可能性度をもとに前記依頼先病理医を選択することを特徴とする請求項６に記載の診断情報配信装置。
【請求項８】
前記病理医選択手段は、前記病理診断装置の病理医それぞれの観察手技を加味して前記依頼先病理医を選択することを特徴とする請求項５に記載の診断情報配信装置。
【請求項９】
前記病理医選択手段は、前記病理診断装置の病理医それぞれのスケジュール情報を加味して前記依頼先病理医を選択することを特徴とする請求項５に記載の診断情報配信装置。
【請求項１０】
前記提供情報配信手段は、前記要診断領域の特徴量を前記診断情報に含めて前記依頼先病理医の前記病理診断装置に配信することを特徴とする請求項２に記載の診断情報配信装置。
【請求項１１】
前記提供情報配信手段は、前記要診断領域の統計量を前記診断情報に含めて前記依頼先病理医の前記病理診断装置に配信することを特徴とする請求項６に記載の診断情報配信装置。
【請求項１２】
診断情報配信装置と、異なる病理医が操作する複数の病理診断装置とがネットワークを介して接続された病理診断システムであって、
前記診断情報配信装置は、
診断対象の標本を撮像した標本画像を取得する画像取得手段と、
前記標本画像から要診断領域を抽出する要診断領域抽出手段と、
前記複数の病理診断装置を操作する病理医の中から診断を依頼する依頼先病理医を選択する病理医選択手段と、
少なくとも前記要診断領域の画像データに対し、予め設定されている前記依頼先病理医の観察手技に応じた画像処理を施して提供情報を作成する提供情報作成手段と、
前記依頼先病理医の前記病理診断装置に前記提供情報を少なくとも含む診断情報を配信する提供情報配信手段と、
を備え、
前記病理診断装置は、
前記提供情報を表示部に表示処理する表示処理手段を備えることを特徴とする病理診断システム。
【請求項１３】
前記ネットワークを介して少なくとも前記診断情報配信装置と接続された病理医記憶部を備え、
前記病理医記憶部には、該当する病理医の観察手技情報、診断実績情報、およびスケジュール情報の少なくともいずれか１つを含む病理医情報が記憶されることを特徴とする請求項１２に記載の病理診断システム。
【請求項１４】
前記診断情報配信装置は、顕微鏡を用いて標本を観察する観察部と接続されており、
前記観察部は、
前記標本と対物レンズとを前記対物レンズの光軸と直交する面内で相対的に移動させながら、前記標本を部分毎に撮像して複数の標本画像を取得し、
前記複数の標本画像を繋ぎ合せて１枚の標本画像を生成する標本画像生成手段を備えることを特徴とする請求項１２に記載の病理診断システム。
【発明の詳細な説明】
【技術分野】
【０００１】
本発明は、標本を診断するための診断情報を配信する診断情報配信装置および病理診断システムに関するものである。
【背景技術】
【０００２】
例えば病理診断では、臓器摘出や針生検によって得た組織検体を厚さ数ミクロン程度に薄切して標本を作成し、様々な所見を得るために顕微鏡を用いて拡大観察することが広く行われている。中でも光学顕微鏡を用いた透過観察は、機材が比較的安価で取り扱いが容易である上、歴史的に古くから行われてきたこともあって、最も普及している観察方法の一つである。ここで、生体から採取した検体は光をほとんど吸収および散乱せず、無色透明に近い。このため、標本の作成に際し、色素による染色を施すのが一般的である。
【０００３】
染色手法としては種々のものが提案されており、その総数は１００種類以上にも達するが、特に病理標本に関しては、色素として青紫色のヘマトキシリンと赤色のエオジンとの２つを用いるヘマトキシリン−エオジン染色（以下、「Ｈ＆Ｅ染色」と呼ぶ。）が標準的に用いられている。
【０００４】
Ｈ＆Ｅ染色された病理標本に対する診断では、病理医は、観察したい組織の形状や分布を総合的に判断する。場合によっては、病理標本にＨ＆Ｅ染色とは異なる特殊染色を施し、観察したい組織の色を変えて視覚的に強調する手法が臨床的に用いられている。この特殊染色は、例えば、Ｈ＆Ｅ染色では確認が難しい組織を観察する場合や、癌の進行によって観察したい組織の形態が崩れて視認が難しい場合等に用いられる。しかしながら、この特殊染色は、その染色工程に２日〜３日を要し、診断を迅速に行えないという問題がある。加えて、特殊染色の実施によって技師による作業工程が増加するという問題もあった。このため、近年では、病理標本を撮像し、得られた画像データを画像処理することによって、実際に特殊染色を施すことなく病理標本内の組織を特定しようとする試みがなされている。
【０００５】
一方で、医療の現場では、従来から、例えば診断が困難な症例や希少症例等について、他の病理医と意見交換するといったことが行われてる。また、近年では、主治医以外の医師に意見を求める所謂セカンド・オピニオンに対する認知度が高まっている。このようなセカンド・オピニオン等のコンサルテーションでは、その症例に応じて意見を求めるのに適した病理医を選ぶ必要がある。加えて、意見を求める病理医に対して診断に必要な情報を提供する必要がある。
【０００６】
ここで、遠隔地に在る病理医間で行うコンサルテーションに関する技術として、例えば、コンサルティング可能な病理医の専門分野、経歴等の病理医情報を画面に表示し、この病理医情報をもとに担当病理医が選定した病理医に画像情報を送信するようにしたものが知られている（特許文献１を参照）。この特許文献１の技術によれば、担当病理医は、表示された病理医情報をもとに診断を依頼するのに適切な病理医を選定することで、選定した病理医との間での意見交換を行うことができる。
【先行技術文献】
【特許文献】
【０００７】
【特許文献１】特開平１１−１９５０７７号公報
【非特許文献】
【０００８】
【非特許文献１】“Color  Correction  of  Pathological  Images  Based  on  Dye  Amount  Quantification”，OPTICAL  REVIEW  Vol.１２，No.4(2005)，p.293−300
【非特許文献２】“Development  of  support  systems  for  pathology  using  spectral  transmittance  -  The  quantification  method  of  stain  conditions”，Proceedings  of  SPIE  -  Image  Processing  Vol.4684，p.1516-1523
【非特許文献３】ナチュラルビジョン（次世代映像表示・伝送システム）の研究開発プロジェクト［動画］の研究開発最終報告書，平成１８年３月３１日，独立行政法人情報通信研究機構（拠点研究推進部門）
【発明の概要】
【発明が解決しようとする課題】
【０００９】
しかしながら、診断の仕方（以下、「観察手技」と呼ぶ。）は多種多様であり、病理医によって異なる場合があった。例えば、上記したような病理標本に対する診断では、一般に病理医は、病理標本を画像化して画面表示し、画面上で観察・診断を行っている。ここで、画像化の手法は１種類ではなく、診断に用いる画像の種類は病理医によって異なる場合があった。病理医は、普段診断に用いているのとは異なる種類の画像では慣れ親しんだ観察手技での診断ができず、診断を迅速に行えないという問題があった。
【００１０】
本発明は、上記した従来の問題点に鑑みて為されたものであり、病理医による迅速な診断を実現することができる診断情報配信装置および病理診断システムを提供することを目的とする。
【課題を解決するための手段】
【００１１】
上記した課題を解決し、目的を達成するための、本発明のある態様にかかる診断情報配信装置は、異なる病理医が操作する複数の病理診断装置と通信接続可能に構成され、前記病理診断装置に対して診断情報を配信する診断情報配信装置であって、診断対象の標本を撮像した標本画像を取得する画像取得手段と、前記標本画像から要診断領域を抽出する要診断領域抽出手段と、前記複数の病理診断装置を操作する病理医の中から診断を依頼する依頼先病理医を選択する病理医選択手段と、少なくとも前記要診断領域の画像データに対し、予め設定されている前記依頼先病理医の観察手技に応じた画像処理を施して提供情報を作成する提供情報作成手段と、前記依頼先病理医の前記病理診断装置に前記提供情報を含む診断情報を配信する提供情報配信手段と、を備えることを特徴とする。
【００１２】
この態様にかかる診断情報配信装置によれば、複数の病理診断装置を操作する病理医の中から診断を依頼する依頼先病理医を選択するとともに、少なくとも標本画像から抽出した要診断領域の画像データに対し、予め設定されている依頼先病理医の観察手技に応じた画像処理を施して提供情報を作成することができる。そして、依頼先病理医の病理診断装置に作成した提供情報を含む診断情報を配信することができる。したがって、診断情報を受信した病理診断装置の依頼先病理医は、慣れ親しんだ観察手技で診断を行うことができるので、病理医による迅速な診断が実現できる。
【００１３】
また、本発明の別の態様にかかる病理診断システムは、診断情報配信装置と、異なる病理医が操作する複数の病理診断装置とがネットワークを介して接続された病理診断システムであって、前記診断情報配信装置は、診断対象の標本を撮像した標本画像を取得する画像取得手段と、前記標本画像から要診断領域を抽出する要診断領域抽出手段と、前記複数の病理診断装置を操作する病理医の中から診断を依頼する依頼先病理医を選択する病理医選択手段と、少なくとも前記要診断領域の画像データに対し、予め設定されている前記依頼先病理医の観察手技に応じた画像処理を施して提供情報を作成する提供情報作成手段と、前記依頼先病理医の前記病理診断装置に前記提供情報を少なくとも含む診断情報を配信する提供情報配信手段と、を備え、前記病理診断装置は、前記提供情報を表示部に表示処理する表示処理手段を備えることを特徴とする。
【発明の効果】
【００１４】
本発明によれば、病理医による迅速な診断が実現することができるという効果を奏する。
【図面の簡単な説明】
【００１５】
【図１】図１は、病理診断システムの全体構成の一例を示すブロック図である。
【図２】図２は、バーチャルスライド顕微鏡の構成例を説明する模式図である。
【図３】図３は、情報配信器の機能構成の一例を示すブロック図である。
【図４】図４は、病理診断システムにおけるデータフローを示す図である。
【図５】図５は、バーチャルスライド顕微鏡が行う処理手順を示すフローチャートである。
【図６】図６は、バーチャルスライド画像生成処理の処理手順を示すフローチャートである。
【図７】図７は、スライドガラス標本の一例を示す図である。
【図８】図８は、標本領域画像の一例を示す図である。
【図９】図９は、フォーカスマップのデータ構成例を説明する図である。
【図１０】図１０は、情報配信器、病理診断装置および情報統合器が行う処理手順を示すフローチャートである。
【図１１】図１１は、要診断領域情報作成処理の処理手順を示すフローチャートである。
【図１２】図１２は、要診断領域抽出画面の一例を示す図である。
【図１３】図１３は、ＨＥ色素量分布図の一例を示す図である。
【図１４】図１４は、細胞核のスペクトル（吸光度値）を示す図である。
【図１５】図１５は、要診断領域の一例を示す図である。
【図１６】図１６は、血管領域の特定原理を説明する図である。
【図１７】図１７は、要診断領域の他の例を示す模式図である。
【図１８】図１８は、核境界の不整度合いの算出原理を説明する説明図である。
【図１９】図１９は、線維密集度の算出原理を説明する説明図である。
【図２０】図２０は、形状不正度の算出原理を説明する説明図である。
【図２１】図２１は、癌可能性度推定テーブルの一例を示す図である。
【図２２】図２２は、病理医選出処理の処理手順を示すフローチャートである。
【図２３】図２３は、病理医ＤＢのデータ構成例を示す図である。
【図２４−１】図２４−１は、診断臓器／組織のデータセットの一例を示す図である。
【図２４−２】図２４−２は、診断臓器／組織のデータセットの他の例を示す図である。
【図２５】図２５は、標本属性情報および要診断領域情報の一例を示す図である。
【図２６】図２６は、病理診断装置に画面表示される診断可否返答依頼の一例を示す図である。
【図２７】図２７は、病理診断装置に画面表示されるアクセス可能な旨の通知の一例を示す図である。
【図２８】図２８は、病理診断装置に画面表示される定員に達した旨の通知の一例を示す図である。
【図２９】図２９は、Ｈ色素量画像の一例を示す図である。
【図３０】図３０は、Ｅ色素量画像の一例を示す図である。
【図３１】図３１は、デジタルステイン画像の一例を示す図である。
【図３２】図３２は、診断画面の一例を示す図である。
【図３３】図３３は、報告書作成画面の一例を示す図である。
【発明を実施するための形態】
【００１６】
以下、図面を参照し、本発明の好適な実施の形態について詳細に説明する。なお、この実施の形態によって本発明が限定されるものではない。また、図面の記載において、同一部分には同一の符号を付して示している。
【００１７】
（実施の形態）
図１は、本実施の形態の病理診断システム１の全体構成の一例を示すブロック図である。図１に示すように、病理診断システム１は、観察部としてのバーチャルスライド顕微鏡２と、染色標本ＤＢ４と、診断情報配信装置である情報配信器５と、病理医ＤＢ６と、病理診断装置７（７−１，７−２，７−３，・・・）と、情報統合器８とを含む。そして、この病理診断システム１では、情報配信器５と、病理医ＤＢ６と、病理診断装置７と、情報統合器８とがネットワークＮを介して接続されている。
【００１８】
情報配信器５、病理診断装置７および情報統合器８は、ＣＰＵ、メインメモリ等の主記憶装置、ハードディスクや各種記憶媒体等の外部記憶装置、通信装置、表示装置や印刷装置等の出力装置、入力装置、各部を接続し、あるいは外部入力を接続するインターフェース装置等を備えた公知のハードウェア構成で実現でき、例えばワークステーションやパソコン等の汎用コンピュータを利用することができる。また、ネットワークＮは、例えば電話回線網やインターネット、ＬＡＮ、専用回線、イントラネット等の各種通信網を適宜採用して用いることができる。
【００１９】
バーチャルスライド顕微鏡２は、バーチャル顕微鏡システムを適用した顕微鏡装置であり、観察対象の標本を撮像してバーチャルスライド画像を生成する。顕微鏡装置を用いて標本を観察する場合、１度に観察可能な範囲（視野範囲）は、主に対物レンズの倍率によって決定される。ここで、対物レンズの倍率が高いほど高精細な画像が得られる反面、視野範囲が狭くなる。この種の問題を解決するため、従来から、標本を載置する電動ステージを動かす等して視野範囲を移動させながら、倍率の高い対物レンズを用いて標本像を部分毎に撮像し、撮像した部分毎の画像を繋ぎ合わせることによって高精細でかつ広視野の画像を生成するといったことが行われており、バーチャル顕微鏡システムと呼ばれている。バーチャルスライド画像は、このバーチャル顕微鏡システムで生成される高精細かつ広視野の画像のことである。このバーチャル顕微鏡システムによれば、実際に標本が存在しない環境であっても観察が行える。また、生成したバーチャルスライド画像をネットワークを介して閲覧可能に公開しておけば、時間や場所を問わずに標本の観察が行える。近年では、このバーチャル顕微鏡システムは、上記したような遠隔地に在る病理医間で行うセカンド・オピニオン等のコンサルテーションで用いられ始めている。
【００２０】
より詳細には、本実施の形態のバーチャルスライド顕微鏡２は、Ｈ＆Ｅ染色された病理標本等の生体組織標本（以下、「染色標本」と呼ぶ。）を観察対象とする。そして、バーチャルスライド顕微鏡２は、この観察対象の染色標本をマルチバンド撮像し、マルチスペクトル情報を有するマルチバンドのバーチャルスライド画像（分光スペクトル画像）を生成する。
【００２１】
染色標本ＤＢ４は、バーチャルスライド顕微鏡２によってバーチャルスライド画像が生成された染色標本に関するデータを蓄積したデータベース（ＤＢ）である。この染色標本ＤＢ４には、例えば染色標本を特定するための識別情報である染色標本ＩＤと対応付けて、その染色標本に関する標本属性情報、バーチャルスライド画像を含む染色標本の標本画像（以下、「染色標本画像」と呼ぶ。）の画像データ、要診断領域情報、提供情報および診断結果統合情報が登録・保存される。以下、これら標本属性情報、染色標本画像の画像データ、要診断領域情報、提供情報および診断結果統合情報を包括して適宜「染色標本情報」と呼ぶ。
【００２２】
情報配信器５は、バーチャルスライド画像から要診断領域を抽出し、病理医ＤＢ６に登録されている病理医情報を参照し、要診断領域について意見を求めるのに最適な病理医を検索する。そして、最終的に診断の依頼先として確定した病理医（以下、「依頼先病理医」と呼ぶ。）の観察手技に従ってバーチャルスライド画像を加工し、提供情報を作成して該当する病理診断装置７に配信する。
【００２３】
病理医ＤＢ６は、病理医に関するデータを蓄積したデータベースである。この病理医ＤＢ６には、病理医記憶部として、例えば病理医を識別するための病理医ＩＤと対応付けて、例えば所属や連絡先、経歴、専門分野、過去に診断した症例（過去症例）、観察手技、スケジュール等が適宜登録される。
【００２４】
病理診断装置７は、病理医ＤＢ６に登録されている病理医が診断に用いる端末装置であり、例えば、その病理医の勤務する医療施設に設置される。この病理診断装置７は、病理医が提供情報等を閲覧しながら診断を行い、診断結果や所見等を返信するためのものであり、情報配信器５から配信された提供情報等を表示し、操作入力に応じた診断報告書情報を作成して情報統合器８に送信する。
【００２５】
情報統合器８は、病理診断装置７から送信された診断報告書情報をもとに該当する染色標本の染色標本情報を染色標本ＤＢ４から取得し、これらを統合して確定診断結果情報を作成する。
【００２６】
ここで、バーチャルスライド顕微鏡２および情報配信器５の構成について順次説明する。図２は、バーチャルスライド顕微鏡２の構成例を説明する模式図である。以下、図２に示す対物レンズ２７の光軸方向をＺ方向とし、Ｚ方向と垂直な平面をＸＹ平面として定義する。
【００２７】
図２に示すように、バーチャルスライド顕微鏡２は、観察対象の染色標本Ｓが載置される電動ステージ２１と、側面視略コの字状を有し、電動ステージ２１を支持するとともにレボルバ２６を介して対物レンズ２７を保持する顕微鏡本体２４と、顕微鏡本体２４の底部後方（図２の右方）に配設された光源２８と、顕微鏡本体２４の上部に載置された鏡筒２９とを備える。また、鏡筒２９には、染色標本Ｓの標本像を目視観察するための双眼部３１と、染色標本Ｓの標本像を撮像するためのＴＶカメラ３２が取り付けられている。
【００２８】
電動ステージ２１は、ＸＹＺ方向に移動自在に構成されている。具体的には、電動ステージ２１は、モータ２２１およびこのモータ２２１の駆動を制御するＸＹ駆動制御部２２３によってＸＹ平面内で移動自在である。ＸＹ駆動制御部２２３は、顕微鏡コントローラ３３の制御のもと、図示しないＸＹ位置の原点センサによって電動ステージ２１のＸＹ平面における所定の原点位置を検知し、この原点位置を基点としてモータ２２１の駆動量を制御することによって、染色標本Ｓ上の観察箇所を移動させる。そして、ＸＹ駆動制御部２２３は、観察時の電動ステージ２１のＸ位置およびＹ位置を適宜顕微鏡コントローラ３３に出力する。また、電動ステージ２１は、モータ２３１およびこのモータ２３１の駆動を制御するＺ駆動制御部２３３によってＺ方向に移動自在である。Ｚ駆動制御部２３３は、顕微鏡コントローラ３３の制御のもと、図示しないＺ位置の原点センサによって電動ステージ２１のＺ方向における所定の原点位置を検知し、この原点位置を基点としてモータ２３１の駆動量を制御することによって、所定の高さ範囲内の任意のＺ位置に染色標本Ｓを焦準移動させる。そして、Ｚ駆動制御部２３３は、観察時の電動ステージ２１のＺ位置を適宜顕微鏡コントローラ３３に出力する。
【００２９】
レボルバ２６は、顕微鏡本体２４に対して回転自在に保持され、対物レンズ２７を染色標本Ｓの上方に配置する。対物レンズ２７は、レボルバ２６に対して倍率（観察倍率）の異なる他の対物レンズとともに交換自在に装着されており、レボルバ２６の回転に応じて観察光の光路上に挿入されて染色標本Ｓの観察に用いる対物レンズ２７が択一的に切り換えられるようになっている。なお、本実施の形態では、レボルバ２６は、対物レンズ２７として、例えば２倍，４倍といった比較的倍率の低い対物レンズ（以下、適宜「低倍対物レンズ」と呼ぶ。）と、１０倍，２０倍，４０倍といった低倍対物レンズの倍率に対して高倍率である対物レンズ（以下、適宜「高倍対物レンズ」と呼ぶ。）とを少なくとも１つずつ保持していることとする。ただし、低倍および高倍とした倍率は一例であり、少なくとも一方の倍率が他方の倍率に対して高ければよい。
【００３０】
顕微鏡本体２４は、底部において染色標本Ｓを透過照明するための照明光学系を内設している。この照明光学系は、光源２８から射出された照明光を集光するコレクタレンズ２５１、照明系フィルタユニット２５２、視野絞り２５３、開口絞り２５４、照明光の光路を対物レンズ２７の光軸に沿って偏向させる折曲げミラー２５５、コンデンサ光学素子ユニット２５６、トップレンズユニット２５７等が、照明光の光路に沿って適所に配置されて構成される。光源２８から射出された照明光は、照明光学系によって染色標本Ｓに照射され、観察光として対物レンズ２７に入射する。
【００３１】
また、顕微鏡本体２４は、その上部においてフィルタユニット３０を内設している。フィルタユニット３０は、標本像として結像する光の波長帯域を所定範囲に制限するためのものであり、ＴＶカメラ３２によって標本像をマルチバンド撮像する際に用いられる。対物レンズ２７を経た観察光は、このフィルタユニット３０を経由して鏡筒２９に入射する。
【００３２】
フィルタユニット３０は、例えば、チューナブルフィルタや、チューナブルフィルタを透過する光の波長を調整するフィルタ制御器等で構成される。チューナブルフィルタは、透過光の波長を電気的に調整可能なフィルタであって、例えば１〔ｎｍ〕以上の任意の幅（以下、「選択波長幅」と呼ぶ。）の波長帯域を選択可能なものを用いる。具体的には、ケンブリッジリサーチアンドインストルメンテーション社製の液晶チューナブルフィルタ「ＶａｒｉＳｐｅｃ（バリスペック）」等、市販のものを適宜用いることができる。このフィルタユニット３０を介して染色標本Ｓの標本像をＴＶカメラ３２の撮像素子上に投影することで、標本像の画像データがマルチバンド画像として得られる。ここで、得られる画像データを構成する各画素の画素値は、チューナブルフィルタによって任意に選択した波長帯域における光の強度に相当し、染色標本Ｓの各点について選択した波長帯域の画素値が得られる。なお、染色標本Ｓの各点とは、投影された撮像素子の各画素に対応する染色標本Ｓ上の各点のことであり、以下では、染色標本Ｓ上の各点が得られる画像データの各画素位置に対応しているものとする。マルチバンド撮像する際のチューナブルフィルタの選択波長幅は予め設定しておけばよく、任意の値を設定できる。
【００３３】
なお、フィルタユニット３０の構成としてチューナブルフィルタを用いた構成を例示したが、これに限定されるものではなく、染色標本Ｓの各点における光の強度情報が取得できればよい。例えば、特開平７−１２０３２４号公報に開示されている撮像方式を適用してフィルタユニット３０を構成してもよい。すなわち、所定枚数（例えば１６枚）のバンドパスフィルタをフィルタホイールで回転させて切り替える構成とし、面順次方式で染色標本Ｓをマルチバンド撮像する構成としてもよい。
【００３４】
鏡筒２９は、フィルタユニット３０を経た観察光の光路を切り換えて双眼部３１またはＴＶカメラ３２へと導くビームスプリッタ２９１を内設している。染色標本Ｓの標本像は、このビームスプリッタ２９１によって双眼部３１内に導入され、接眼レンズ３１１を介して検鏡者に目視観察される。あるいはＴＶカメラ３２によって撮像される。ＴＶカメラ３２は、標本像（詳細には対物レンズ２７の視野範囲）を結像するＣＣＤやＣＭＯＳ等の撮像素子を備えて構成され、標本像を撮像し、標本像の画像データを制御部３５に出力する。
【００３５】
そして、バーチャルスライド顕微鏡２は、顕微鏡コントローラ３３とＴＶカメラコントローラ３４とを備える。顕微鏡コントローラ３３は、制御部３５の制御のもと、バーチャルスライド顕微鏡２を構成する各部の動作を統括的に制御する。例えば、顕微鏡コントローラ３３は、レボルバ２６を回転させて観察光の光路上に配置する対物レンズ２７を切り換える処理や、切り換えた対物レンズ２７の倍率等に応じた光源２８の調光制御や各種光学素子の切り換え、あるいはＸＹ駆動制御部２２３やＺ駆動制御部２３３に対する電動ステージ２１の移動指示等、染色標本Ｓの観察に伴うバーチャルスライド顕微鏡２の各部の調整を行うとともに、各部の状態を適宜制御部３５に通知する。ＴＶカメラコントローラ３４は、制御部３５の制御のもと、自動ゲイン制御のＯＮ／ＯＦＦ切換、ゲインの設定、自動露出制御のＯＮ／ＯＦＦ切換、露光時間の設定等を行ってＴＶカメラ３２を駆動し、ＴＶカメラ３２の撮像動作を制御する。
【００３６】
また、バーチャルスライド顕微鏡２は、装置内の適所に収められた制御部３５を備え、バーチャルスライド顕微鏡２を構成する各部の動作を制御してバーチャルスライド顕微鏡２を統括的に制御する。制御部３５は、マイクロコンピュータ等で構成され、操作部３５１や表示部３５３、記憶部３５５等と接続されている。操作部３５１は、ボタンスイッチやスライドスイッチ、ダイヤル等の各種操作部材、タッチパネル、キーボード、マウス等で実現される。表示部３５３は、ＬＣＤやＥＬディスプレイ等で実現される。記憶部３５５は、更新記憶可能なフラッシュメモリ等のＲＯＭやＲＡＭといった各種ＩＣメモリ、内蔵或いはデータ通信端子で接続されたハードディスク、ＣＤ−ＲＯＭ等の情報記憶媒体およびその読取装置等で実現され、バーチャルスライド顕微鏡２の動作に必要なプログラムや、このプログラムの実行中に使用されるデータ等が記憶される。
【００３７】
そして、制御部３５は、操作部３５１から入力される入力信号や、顕微鏡コントローラ３３から入力されるバーチャルスライド顕微鏡２各部の状態、ＴＶカメラ３２から入力される画像データ、記憶部３５５に記憶されるプログラムやデータ等をもとに顕微鏡コントローラ３３やＴＶカメラコントローラ３４に対するバーチャルスライド顕微鏡２各部の動作指示を行い、バーチャルスライド顕微鏡２全体の動作を統括的に制御する。また、バーチャルスライド顕微鏡２は、ＡＦ（自動焦点）の機能を有しており、制御部３５は、ＴＶカメラ３２から入力される画像データをもとに各Ｚ位置における画像のコントラストを評価し、合焦している焦点位置（合焦位置）を検出するＡＦの処理を行う。
【００３８】
この制御部３５は、標本像の低解像画像および高解像画像を取得してバーチャルスライド画像を生成する。バーチャルスライド画像は、バーチャルスライド顕微鏡２によって撮像した１枚または２枚以上の画像を繋ぎ合せて生成した画像のことであるが、以下では、高倍対物レンズを用いて染色標本Ｓを部分毎に撮像した複数の高解像画像を繋ぎ合せて生成した画像であって、染色標本Ｓの全域を映した広視野で且つ高精細のマルチバンド画像のことをバーチャルスライド画像と呼ぶ。すなわち、制御部３５は、バーチャルスライド顕微鏡２各部の動作指示を行って、標本像の低解像画像を取得する。この低解像画像は、染色標本Ｓの観察に低倍対物レンズを用い、例えばＲＧＢ画像として取得されるようになっている。また、制御部３５は、バーチャルスライド顕微鏡２各部の動作指示を行って、標本像の高解像画像を取得する。この高解像画像は、染色標本Ｓの観察に高倍対物レンズを用い、マルチバンド画像として取得されるようになっている。
【００３９】
次に、情報配信器５の構成について説明する。図３は、情報配信器５の機能構成の一例を示すブロック図である。図３に示すように、情報配信器５は、入力部５１と、表示部５２と、通信部５３と、画像処理部５４と、記憶部５５と、装置各部を制御する制御部５６とを備える。
【００４０】
入力部５１は、例えば、キーボードやマウス、タッチパネル、各種スイッチ等によって実現されるものであり、操作入力に応じた入力信号を制御部５６に出力する。表示部５２は、ＬＣＤやＥＬディスプレイ等のフラットパネルディスプレイ、あるいはＣＲＴディスプレイ等の表示装置によって実現されるものであり、制御部５６から入力される表示信号に従って各種画面を表示する。通信部５３は、図１に示したネットワークＮを介して外部とのデータ通信を行う。この通信部５３は、モデムやＴＡ、通信ケーブルのジャックや制御回路等によって実現される。
【００４１】
画像処理部５４は、ＣＰＵ等のハードウェアによって実現される。この画像処理部５４は、要診断領域抽出手段としての要診断領域抽出処理部５４１と、特徴量算出手段および統計量算出手段としての要診断領域情報作成部５４２と、癌可能性度推定部５４３と、提供情報作成手段としての提供情報作成部５４４とを含む。要診断領域抽出処理部５４１は、診断対象の染色標本の染色標本画像からセカンド・オピニオンが必要な領域である要診断領域を抽出する。要診断領域情報作成部５４２は、要診断領域抽出処理部５４１によって抽出された要診断領域の所定の特徴量を算出するとともに、算出した特徴量をもとに所定の統計量を算出する。癌可能性度推定部５４３は、要診断領域情報作成部５４２によって算出された統計量をもとに要診断領域の癌可能性度を推定する。提供情報作成部５４４は、制御部５６の後述する病理医検索部５６１によって検索され、後述する診断依頼可否判定部５６２によって診断を依頼するとして確定された依頼先病理医の観察手技をもとに依頼先病理医に応じた提供情報を作成する。この提供情報作成部５４４は、識別画像生成手段および色素量画像生成手段としての画像加工処理部５４５を備える。この画像加工処理部５４５は、依頼先病理医の観察手技に従って診断対象の染色標本のバーチャルスライド画像を加工する。
【００４２】
記憶部５５は、更新記憶可能なフラッシュメモリ等のＲＯＭやＲＡＭといった各種ＩＣメモリ、内蔵或いはデータ通信端子で接続されたハードディスク、ＣＤ−ＲＯＭ等の情報記憶媒体およびその読取装置等によって実現されるものである。この記憶部５５には、情報配信器５を動作させ、この情報配信器５が備える種々の機能を実現するためのプログラムや、このプログラムの実行中に使用されるデータ等が一時的または永続的に記憶される。
【００４３】
制御部５６は、ＣＰＵ等のハードウェアによって実現される。この制御部５５は、入力部５１から入力される入力信号、記憶部５５に格納されるプログラムやデータ、あるいは染色標本ＤＢ４や病理医ＤＢ６から取得される各種情報等をもとに情報配信器５を構成する各部への指示やデータの転送等を行い、情報配信器５全体の動作を統括的に制御する。
【００４４】
また、制御部５６は、病理医検索部５６１と、診断依頼可否判定部５６２と、提供情報配信手段としての提供情報配信処理部５６３とを含む。ここで、病理医検索部５６１および診断依頼可否判定部５６２は、病理医選択手段として機能する。病理医検索部５６１は、例えば染色標本ＤＢ４から取得した標本属性情報や癌可能性度推定部５４３によって推定された要診断領域の癌可能性度等をもとに、病理医ＤＢ６に登録されている病理医情報を参照して診断を依頼する病理医を検索して依頼先病理医の候補（以下、「依頼先候補病理医」と呼ぶ。）を選出する。診断依頼可否判定部５６２は、病理医検索部５６１によって検索され、選出された依頼先候補病理医の病理診断装置７に診断可否返答依頼を通知し、この診断可否返答依頼に応答して病理診断装置７から通知された受託可否情報をもとに、依頼先病理医を確定する。提供情報配信処理部５６３は、提供情報作成部５４４によって作成された提供情報を、診断依頼可否判定部５６２によって確定された依頼先病理医の病理診断装置７に配信する。
【００４５】
次に、病理診断システム１を構成する各装置間でのデータの流れについて説明する。図４は、病理診断システム１におけるデータフローを示す図である。病理診断システム１では、バーチャルスライド顕微鏡２において観察対象の染色標本の標本属性情報が取得され、染色標本のバーチャルスライド画像が生成される。そして、図４に示すように、取得された標本属性情報および生成されたバーチャルスライド画像を含む染色標本画像の画像データ（Ｄ１）は染色標本ＤＢ４に送信され、染色標本情報として登録される（ａ１）。標本属性情報は、臓器種類、注目組織種類、染色方法、患者情報、緊急度（図４では不図示，図２５を参照）等を含む。
【００４６】
一方、情報配信器５では、以上のようにして染色標本ＤＢ４に登録される染色標本情報の中から診断対象の染色標本の染色標本情報である標本属性情報および染色標本画像（Ｄ３）が取得され（ａ３）、この標本属性情報および染色標本画像をもとに要診断領域情報が作成される。ここで、要診断領域情報は、染色標本画像中で抽出された要診断領域に関する情報であり、抽出された要診断領域毎に作成される。この要診断領域情報は、位置情報や重心位置、特徴量、統計量、癌可能性度等を含む。特徴量は、例えば色素量、色情報補正係数、細胞核や線維、血管等についての構成要素情報等である。統計量は、例えば核統計量、線維統計量、血管統計量等である。癌可能性度は、適宜グレードを含む。
【００４７】
その後、情報配信器５において病理医ＤＢ６に登録されている病理医が検索される。そして、情報配信器５において診断を依頼する依頼先病理医の病理医情報（Ｄ５）が取得され（ａ５）、この病理医情報をもとに提供情報が作成される。病理医情報は、該当する病理医の経歴や専門分野、臓器や組織等についての過去症例、観察手技、スケジュール等を含み、提供情報は、この病理医情報の観察手技をもとに染色標本画像の画像データを加工することで作成される。例えば、提供情報は、ＲＧＢ画像、色素量画像、デジタルステイン画像あるいは擬似微分干渉画像等である。依頼先病理医が複数いる場合には、提供情報は、依頼先病理医毎に該当する病理医情報の観察手技をもとに個別に作成される。
【００４８】
そして、情報配信器５において取得され、あるいは作成された診断対象の染色標本の標本属性情報、染色標本画像、要診断領域情報および提供情報（Ｄ７）は、診断情報として依頼先病理医の病理診断装置７に配信される（ａ７）。依頼先病理医が２人以上の場合には、それぞれの病理診断装置７にデータＤ７（提供情報については、依頼先病理医（配信先の病理診断装置７の病理医）に応じた提供情報）が配信される。
【００４９】
また、情報配信器５において作成された要診断領域情報および提供情報（Ｄ９）は染色標本ＤＢ４に送信され、診断対象の染色標本の染色標本情報として追加登録される（ａ９）。
【００５０】
そして、病理診断装置７では、配信された診断情報であるデータＤ７が例えば画面表示され、依頼先病理医に提示される。依頼先病理医は、これら提示されるデータＤ７を見ながら診断を行い、診断結果を入力する。病理診断装置７では、このようにして依頼先病理医によって入力された診断結果をもとに診断報告書情報が作成され、この診断報告書情報（Ｄ１１）が情報統合器８に送信される（ａ１１）。診断報告書情報は、所見や診断結果を含む。また、このとき依頼先病理医によって診断された診断内容情報（Ｄ１３）が病理医ＤＢ６に送信されるようになっており、この依頼先病理医の病理医情報（例えば過去症例等）が更新される（ａ１３）。
【００５１】
そして、情報統合器８では、染色標本ＤＢ４から診断対象の染色標本の染色標本情報である標本属性情報、染色標本画像、要診断領域情報および提供情報（Ｄ１５）が取得され（ａ１５）、このデータＤ１５が病理診断装置７から送信された診断報告書情報（Ｄ１１）と統合されて確定診断結果情報が作成される。作成された確定診断結果情報（Ｄ１７）は染色標本ＤＢ４に送信され、診断対象の染色標本の染色標本情報として追加登録される（ａ１７）。
【００５２】
次に、病理診断システム１における処理の流れについて説明する。先ず、染色標本のバーチャルスライド画像を生成して染色標本ＤＢ４に登録・保存するまでの処理の流れについて説明する。図５は、バーチャルスライド顕微鏡２が行う処理手順を示すフローチャートである。
【００５３】
バーチャルスライド顕微鏡２では、図５に示すように、制御部３５が先ず、ユーザ操作に従って染色標本Ｓの標本属性情報を取得する（ステップｂ１）。例えば、制御部３５は、標本属性入力画面を表示部３５３に表示して標本属性の登録依頼を通知する処理を行う。標本属性の項目としては、検体を採取した臓器の種類（臓器種類）、注目すべき組織の種類（注目組織種類）、染色標本Ｓに施されている染色の種類（染色方法）、患者の名前や性別、年齢、過去の病歴といった患者情報等が挙げられる。そして、制御部３５は、この登録依頼の通知に応答してユーザが操作入力した標本属性毎の属性値を標本属性情報として取得する。また、このとき、併せて染色標本Ｓの診断に対する緊急度の入力を受け付け、標本属性情報として取得する。例えば、「緊急」「急ぎ」「通常」の３段階で入力を受け付け、「緊急」が入力された場合に緊急度の値を「１」、「急ぎ」が入力された場合に緊急度の値を「２」、「通常」が入力された場合に緊急度の値を「１」として設定する。
【００５４】
続いて、制御部３５は、バーチャルスライド画像生成処理を行う（ステップｂ３）。図６は、バーチャルスライド画像生成処理の処理手順を示すフローチャートである。
【００５５】
図６に示すように、先ず制御部３５は、染色標本Ｓの観察に用いる対物レンズ２７を低倍対物レンズに切り換える指示を顕微鏡コントローラ３３に出力する（ステップｃ１）。これに応答して顕微鏡コントローラ３３は、必要に応じてレボルバ２６を回転させ、低倍対物レンズを観察光の光路上に配置する。
【００５６】
続いて、制御部３５は、顕微鏡コントローラ３３やＴＶカメラコントローラ３４に対するバーチャルスライド顕微鏡２各部の動作指示を行って、標本像の低解像画像（ＲＧＢ画像）を取得する（ステップｃ３）。
【００５７】
図７は、電動ステージ２１上に載置されるスライドガラス標本２００の一例を示す図である。図２に示した電動ステージ２１上の染色標本Ｓは、実際には、図７に示すように、スライドガラス２１０上に染色標本Ｓを載置したスライドガラス標本２００として電動ステージ２１上に載置される。染色標本Ｓは、スライドガラス２１０上の予め定められた所定の領域（例えば、スライドガラス２１０の図７に向かって左側の例えば縦：２５ｍｍ×横：５０ｍｍの領域）である標本サーチ範囲２１１に載置されるようになっている。そして、このスライドガラス２１０には、標本サーチ範囲２１１に載置した染色標本Ｓに関する情報を記載したシール２１２が予め定められた所定の領域（例えば標本サーチ範囲２１１の右側の領域）に貼付される。このシール２１２には、例えば、染色標本Ｓに割り当てられた染色標本ＩＤを所定の規格に従ってコード化したバーコードが印字され、バーチャルスライド顕微鏡２を構成する図示しないバーコードリーダによって読み取られるようになっている。
【００５８】
図６のステップｃ３の制御部３５による動作指示に応答して、バーチャルスライド顕微鏡２は、図７に示すスライドガラス２１０の標本サーチ範囲２１１の画像を撮像する。具体的には、ステップｃ１で切り換えた低倍対物レンズの倍率に応じて定まる視野範囲（換言すると、染色標本Ｓの観察に低倍対物レンズを用いたときのＴＶカメラ３２の撮像範囲）のサイズをもとに標本サーチ範囲２１１を分割し、分割した区画サイズに従って電動ステージ２１をＸＹ平面内で移動させながら、標本サーチ範囲２１１の標本像を区画毎にＴＶカメラ３２で順次撮像していく。ここで撮像された画像データは、標本像の低解像画像として制御部３５に出力される。
【００５９】
そして、制御部３５は、図６に示すように、ステップｃ３で取得した区画毎の低解像画像を結合し、図７の標本サーチ範囲２１１を映した１枚の画像をスライド標本全体画像として生成する（ステップｃ５）。
【００６０】
続いて、制御部３５は、染色標本Ｓの観察に用いる対物レンズ２７を高倍対物レンズに切り換える指示を顕微鏡コントローラ３３に出力する（ステップｃ７）。これに応答して顕微鏡コントローラ３３は、レボルバ２６を回転させ、高倍対物レンズを観察光の光路上に配置する。
【００６１】
続いて、制御部３５は、ステップｃ５で生成したスライド標本全体画像をもとに、図７の標本サーチ範囲２１１内の実際に染色標本Ｓが載置されている標本領域２１３を自動抽出して決定する（ステップｃ９）。この標本領域の自動抽出は、公知の手法を適宜採用して行うことができる。例えば、スライド標本全体画像の各画素を２値化して標本の有無を画素毎に判定し、染色標本Ｓを映した画素と判定された画素範囲を囲う矩形領域を標本領域として決定する。なお、操作部３５１を介してユーザによる標本領域の選択操作を受け付け、操作入力に従って標本領域を決定することとしてもよい。
【００６２】
続いて、制御部３５は、スライド標本全体画像からステップｃ９で決定した標本領域の画像（標本領域画像）を切り出し、この標本領域画像の中から合焦位置を実測する位置を選出してフォーカス位置を抽出する（ステップｃ１１）。
【００６３】
図８は、スライド標本全体画像から切り出した標本領域画像２１５の一例を示す図であり、図８では、図７の標本領域２１３の画像を示している。先ず制御部３５は、図８に示すように、標本領域画像２１５を格子状に分割し、複数の小区画を形成する。ここで、小区画の区画サイズは、ステップｃ７で切り換えた高倍対物レンズの倍率に応じて定まる視野範囲（換言すると、染色標本Ｓの観察に高倍対物レンズを用いたときのＴＶカメラ３２の撮像範囲）のサイズに相当する。
【００６４】
続いて、制御部３５は、形成した複数の小区画の中から、フォーカス位置とする小区画を選出する。これは、全ての小区画について合焦位置を実測しようとすると処理時間が増大してしまうためであり、例えば各小区画の中から所定数の小区画をランダムに選出する。あるいは、フォーカス位置とする小区画を例えば所定数の小区画を隔てて選出する等、所定の規則に従って選出してもよい。また、小区画の数が少ない場合には、全ての小区画をフォーカス位置として選出するようにしてもよい。そして、制御部３５は、標本領域画像２１５の座標系（ｘ，ｙ）における選出した小区画の中心座標を算出するとともに、算出した中心座標を電動ステージ２１の座標系（Ｘ，Ｙ）に変換してフォーカス位置を得る。なお、この座標変換は、染色標本Ｓの観察に用いる対物レンズ２７の倍率、あるいはＴＶカメラ３２を構成する撮像素子の画素数や画素サイズ等に基づいて行われ、例えば特開平９−２８１４０５号公報に記載の公知技術を適用して実現できる。
【００６５】
続いて、制御部３５は、図６に示すように、顕微鏡コントローラ３３やＴＶカメラコントローラ３４に対するバーチャルスライド顕微鏡２各部の動作指示を行って、フォーカス位置の合焦位置を測定する（ステップｃ１３）。このとき、制御部３５は、抽出した各フォーカス位置を顕微鏡コントローラ３３に出力する。これに応答して、バーチャルスライド顕微鏡２は、電動ステージ２１をＸＹ平面内で移動させて各フォーカス位置を順次対物レンズ２７の光軸位置に移動させる。そして、各フォーカス位置で電動ステージ２１をＺ方向に移動させながらＴＶカメラ３２によってフォーカス位置の画像データを取り込む。取り込まれた画像データは制御部３５に出力される。制御部３５は、これら各Ｚ位置における画像データのコントラストを評価することによって、各フォーカス位置における染色標本Ｓの合焦位置（Ｚ位置）を測定する。なお、本実施の形態では、後述する図１１のステップｅ３で線維についての構成要素情報を作成する際や、図２２のステップｆ１３で擬似微分干渉画像を生成する際に用いるため、このステップｃ１３において、合焦位置以外の例えば少しピントがずれた少なくとも２点の焦点位置をさらに測定する。例えば、前焦点の位置および後焦点の位置を測定する。そして、ここで測定した一方の焦点位置を図１１のステップｅ３で焦点位置Ｆとして用いる。また、測定した２つの焦点位置を図２２のステップｆ１３で焦点位置Ｆα，Ｆβとして用いる。なお、これら焦点位置Ｆ，Ｆα，Ｆβは前焦点位置および後焦点位置に限定されるものではなく、適宜の位置としてよい。また、測定する合焦位置以外の焦点位置の数は２点に限定されるものではなく、適宜の数の焦点位置を測定することとしてよい。
【００６６】
制御部３５は、以上のようにして各フォーカス位置における合焦位置を測定したならば、続いて、各フォーカス位置の合焦位置の測定結果をもとにフォーカスマップを作成する（ステップｃ１５）。具体的には、制御部３５は、ステップｃ１１でフォーカス位置として抽出されなかった小区画の合焦位置を、近傍するフォーカス位置の合焦位置で補間演算することによって全ての小区画について合焦位置を設定し、フォーカスマップを作成する。作成したフォーカスマップのデータは、記憶部３５５に記憶される。また、このとき、フォーカス位置として抽出されなかった小区画の前焦点位置および後焦点位置についても近傍するフォーカス位置の前焦点位置および後焦点位置で補間演算し、全ての小区画について前焦点位置および後焦点位置を設定する。なお、各小区画における前焦点位置および後焦点位置は、フォーカスマップのデータとともに記憶部３５５に記憶される。
【００６７】
図９は、フォーカスマップのデータ構成例を説明する図である。図９に示すように、フォーカスマップは、配列番号と電動ステージ位置とを対応付けたデータテーブルである。配列番号は、図８に示した標本領域画像２１５の各小区画を示している。具体的には、ｘで示す配列番号は、左端を初順としてｘ方向に沿って各列に順番に付した通し番号であり、ｙで示す配列番号は、最上段を初順としてｙ方向に沿って各行に順番に付した通し番号である。なお、ｚで示す配列番号は、バーチャルスライド画像を３次元画像として生成する場合に設定される値である。電動ステージ位置は、対応する配列番号が示す標本領域画像の小区画について合焦位置と設定された電動ステージ２１のＸ，Ｙ，Ｚの各位置である。例えば、（ｘ，ｙ，ｚ）＝（１，１，−）の配列番号は、図８の小区画２１６を示しており、座標系（ｘ，ｙ）における小区画２１６の中心座標を電動ステージ２１の座標系（Ｘ，Ｙ）に変換したときのＸ位置及びＹ位置が、Ｘ11およびＹ11にそれぞれ相当する。また、この小区画について設定した合焦位置（Ｚ位置）がＺ11に相当する。
【００６８】
続いて、制御部３５は、標本画像生成手段として、図６に示すように、フォーカスマップを参照しながら顕微鏡コントローラ３３やＴＶカメラコントローラ３４に対するバーチャルスライド顕微鏡２各部の動作指示を行って、標本領域画像の小区画毎に標本像をマルチバンド撮像し、高解像画像を取得する（ステップｃ１７）。このとき、制御部３５は、フィルタユニット３０を構成するチューナブルフィルタの選択波長幅をマルチバンド撮像時の幅に設定する指示を顕微鏡コントローラ３３に出力する。これに応答して、バーチャルスライド顕微鏡２は、チューナブルフィルタの選択波長幅をマルチバンド撮像時の幅に設定した上で、電動ステージ２１を移動させながら標本領域画像の小区画毎の標本像をそれぞれの合焦位置においてＴＶカメラ３２で順次撮像していく。ここで撮像された画像データは、標本像の高解像画像として制御部３５に出力される。また、このとき、各小区画の前焦点位置および後焦点位置をもとに、前焦点位置および後焦点位置の高解像画像についてもそれぞれ取得する。
【００６９】
そして、制御部３５は、ステップｃ１７で取得した標本領域画像の小区画毎の高解像画像を結合し、図７の標本領域２１３の全域を映した１枚の画像をバーチャルスライド画像として生成する（ステップｃ１９）。以上説明したバーチャルスライド画像生成処理の結果、染色標本Ｓの全域を映した広視野で且つ高精細なマルチバンド画像が得られる。また、このとき、前焦点位置の小区画毎の高解像画像を結合し、前焦点位置のバーチャルスライド画像を生成するとともに、後焦点位置の小区画毎の高解像画像を結合し、後焦点位置のバーチャルスライド画像を生成する。
【００７０】
その後、制御部３５は、図６に示すように、バーチャルスライド画像が有するマルチスペクトル情報をもとにＲＧＢ画像（染色標本ＲＧＢ画像）を合成する（ステップｃ２１）。具体的には、染色標本ＲＧＢ画像の合成に先立ち、例えば照明光を照射した状態で標本なしの背景を撮像して背景（照明光）のマルチバンド画像を取得しておく。そして、背景のマルチバンド画像をＩ0とし、診断対象の染色標本のマルチバンド画像をＩとして、次式（１）に従って各画素位置の分光透過率ｔ（ｘ，λ）を算出する。ここで、診断対象の染色標本のマルチバンド画像Ｉが、バーチャルスライド画像に相当する。また、このとき、前焦点位置および後焦点位置の各バーチャルスライド画像についても、各画素位置の分光透過率ｔ（ｘ，λ）を算出する。ｘはマルチバンド画像の画素を表す位置ベクトルであり、λは波長である。また、Ｉ（ｘ，λ）はマルチバンド画像Ｉの波長λにおける画素位置（ｘ）の画素値を表し、Ｉ0（ｘ，λ）はマルチバンド画像Ｉ0の波長λにおける画素位置（ｘ）の画素値を表す。
【数１】
2011181015.tif 000003
【００７１】
そして、このようにして求めた各画素位置の分光透過率をＲＧＢ値に変換することで、染色標本ＲＧＢ画像を生成する。バーチャルスライド画像上の任意の画素位置（ｘ）における分光透過率をＴ（ｘ）とすると、ＲＧＢ値ＧRGB（ｘ）は、次式（２）で表される。
ＧRGB（ｘ）＝ＨＴ（ｘ）  ・・・（２）
【００７２】
式（２）のＨは、次式（３）で定義される行列である。この行列Ｈはシステム行列とも呼ばれており、Ｆはチューナブルフィルタの分光透過率、Ｓはカメラの分光感度特性、Ｅは照明の分光放射特性をそれぞれ表す。
Ｈ＝ＦＳＥ  ・・・（３）
【００７３】
染色標本ＲＧＢ画像を合成したならば、バーチャルスライド画像生成処理を終え、図５のステップｂ３にリターンしてステップｂ５に移る。
【００７４】
そして、図５のステップｂ５では、制御部３５は、図６のステップｃ１９で生成したバーチャルスライド画像およびステップｃ２１で合成した染色標本ＲＧＢ画像を染色標本画像の画像データとし、この染色標本画像の画像データと、図５のステップｂ１で取得した標本属性情報とを染色標本ＤＢ４に送信して書込要求を通知する。より詳細には、これら標本属性情報および染色標本画像の画像データとともに、図７のシール２１２から読み取った染色標本ＩＤを送信する。これに応答し、染色標本ＤＢ４において標本属性情報と染色標本画像の画像データとが染色標本ＩＤと対応付けられ、染色標本Ｓに関する染色標本情報として染色標本ＤＢ４に登録・保存される。なお、このとき、例えば染色標本ＲＧＢ画像の合成過程で算出した各画素位置の分光透過率のデータ等のその他の染色標本Ｓに関するデータを染色標本ＤＢ４に送信し、染色標本情報に含めて保存する構成としてもよい。
【００７５】
次に、以上のようにして染色標本ＤＢ４に染色標本情報が登録された染色標本を診断する処理の流れについて説明する。図１０は、情報配信器５、病理診断装置７および情報統合器８が行う処理手順を示すフローチャートである。
【００７６】
図１０に示すように、先ず、情報配信器５において、制御部５６が、画像取得手段として、診断対象とする染色標本の染色標本情報を染色標本ＤＢ４から取得する（ステップｄ１）。ここで、診断対象の染色標本は、例えば事前にユーザによる染色標本ＩＤの選択操作を受け付けることで選択する。そして、ステップｄ１では、ユーザが選択した染色標本ＩＤをもとに、染色標本ＤＢ４から染色標本情報を取得する。このとき取得される染色標本情報は、少なくとも標本属性情報と染色標本画像（バーチャルスライド画像および染色標本ＲＧＢ画像）の画像データとを含む。選択された染色標本ＩＤの染色標本について既に１度以上診断が行われている場合には、その際に作成された細胞核特定情報や要診断領域情報、提供情報、診断結果統合情報が染色標本情報としてさらに取得される。続いて、要診断領域情報作成処理に移る（ステップｄ３）。図１１は、要診断領域情報作成処理の処理手順を示すフローチャートである。
【００７７】
図１１に示すように、要診断領域情報作成処理では先ず、要診断領域抽出処理部５４１が、ユーザ（例えば診断対象の染色標本についての診断を依頼する依頼元の病理医）による要診断領域の選択操作を受け付けて要診断領域を抽出する（ステップｅ１）。例えば、要診断領域抽出処理部５４１は、要診断領域抽出画面を表示部５２に表示し、要診断領域の選択入力依頼をユーザに通知する処理を行う。そして、要診断領域抽出処理部５４１は、ユーザの操作入力に従って要診断領域を抽出する。
【００７８】
なお、ここでは、要診断領域の選択操作を受け付けて染色標本画像内の要診断領域を抽出する処理を情報配信器５で行うこととして説明するが、これに限定されるものではない。例えば、病理診断装置７等のネットワークＮを介して情報配信器５と接続された別の装置で行い、抽出された位置情報を情報配信器５に送信する構成としてもよい。そして、情報配信器５は、これら別の装置から送信された要診断領域の位置情報を用いてステップｅ３以降の処理を行うこととしてよい。また、図１０のステップｄ１で取得された染色標本情報に要診断領域情報が含まれる場合には、この要診断領域情報に従って要診断領域を特定することとしてもよい。すなわち、診断対象の染色標本について過去に診断が行われた際に抽出された要診断領域を用いてステップｅ３以降の処理で用いることとしてもよい。
【００７９】
図１２は、要診断領域抽出画面の一例を示す図である。図１２に示すように、要診断領域抽出画面は、染色標本画像表示部Ｗ１１を備える。この染色標本画像表示部Ｗ１１には、例えば図６のステップｃ２１で取得された染色標本ＲＧＢ画像が表示される。また、要診断領域抽出画面には、選択モードメニューＭ１１と、メモボタンＢ１１と、やり直しボタンＢ１３と、ＯＫボタンＢ１５とが配置されている。
【００８０】
選択モードメニューＭ１１には、要診断領域の選択モードとして「square」「auto  square」「ellipse」「auto  ellipse」「auto  picker」または「manual」を択一的に選択可能なラジオボタンＲＢ１１が配置されている。「square」は、染色標本画像表示部Ｗ１１上の矩形範囲を選択する選択モードであり、ユーザが入力部５１を構成するマウスによって染色標本画像表示部Ｗ１１上をドラッグ操作することで選択した矩形範囲を要診断領域として抽出する。「ellipse」は、染色標本画像表示部Ｗ１１上の楕円形（円形）の範囲を選択する選択モードであり、ユーザが染色標本画像表示部Ｗ１１上をドラッグ操作することで選択した楕円形（円形）の範囲を要診断領域として抽出する。「auto square」は、所定のブロックサイズの矩形範囲を選択する選択モードであり、ユーザがクリックした位置を始点とした所定のブロックサイズの矩形範囲を要観察察領域として抽出する。ブロックサイズは、後述する入力ボックスＩＢ１１で入力したブロックサイズである。「auto ellipse」は、所定のブロックサイズに例えば内接する楕円形（円形）の範囲を選択する選択モードである。「auto picker」は、ユーザがクリックした位置の画素値をもとに要診断領域を自動抽出する選択モードであり、例えば染色標本ＲＧＢ画像からクリックした位置と輝度値が類似する画素を自動的に抽出し、抽出した画素の領域を要診断領域とする。「manual」は、ユーザ操作に従って要診断領域を手動で選択する選択モードであり、ユーザがクリックした位置を始点とし、染色標本画像表示部Ｗ１１上をドラッグ操作することで選択した閉領域を要診断領域として抽出する。
【００８１】
また、選択モードメニューＭ１１には、ブロックサイズを入力する入力ボックスＩＢ１１が配置されており、所望の値を設定することができる。このブロックサイズは、染色標本画像表示部Ｗ１１上で指定する領域のサイズであり、図１２中に例示するように例えば入力ボックスＩＢ１１に「３」を入力した場合には、１つの領域は３×３画素のサイズとされる。
【００８２】
例えば、選択モードとして「square」を選んで領域を選択する場合の操作手順を例に挙げると、ユーザは先ず、入力部５１を構成するマウスによって染色標本画像表示部Ｗ１１上の所望の位置をクリックし、染色標本画像表示部Ｗ１１上をドラッグ操作することで要診断領域とする領域、具体的には例えば、癌が疑われる領域、あるいは周囲と様態が異なる領域を選択する。このとき、染色標本画像表示部Ｗ１１上には、選択した領域を示すマーカ（例えばマーカＭＫ１１）が表示される。
【００８３】
領域の選択操作を取り消したい場合には、その領域を示すマーカ（例えばマーカＭＫ１１）をクリックして選択状態とし、やり直しボタンＢ１３をクリックする。この結果マーカＭＫ１１は削除され、このマーカＭＫ１１による領域の選択操作が取り消される。また、所望の領域を示すマーカ（例えばマーカＭＫ１１）をクリックして選択状態とし、メモボタンＢ１１をクリックすると、マーカＭＫ１１が示す領域についてコメントを記入することができる。例えば、選択した領域に対して所見や疑問点、質問等を付記したい場合には、その内容を記入することができ、依頼先病理医との円滑な意思疎通が図れる。要診断領域としたい領域が複数ある場合には、染色標本画像表示部Ｗ１１上の別の領域の位置を再度クリック等することで、新たな領域を選択することができる（例えばマーカＭＫ１３，ＭＫ１５）。領域の選択操作を確定する場合には、ＯＫボタンＢ１５をクリックする。
【００８４】
そして、以上のようにして操作を確定すると、要診断領域抽出処理部５４１は、図１１のステップｅ１の処理として、選択された領域を要診断領域として抽出する。例えば、図１２の例であれば、染色標本画像表示部Ｗ１１上のマーカＭＫ１１で囲まれた画素位置、マーカＭＫ１３で囲まれた画素位置およびマーカＭＫ１５で囲まれた画素位置を個別の要診断領域として抽出する。このとき、要診断領域抽出処理部５４１は、抽出した要診断領域毎に重心位置を算出する。そして、ラスタ形式の配列順に従って各要診断領域に固有の要診断領域ＩＤを割り当て、要診断領域の画素位置を設定した位置情報と重心位置とを該当する要診断領域ＩＤを割り当てた要診断領域に関する情報として記憶部５５に記憶しておく。
【００８５】
続いて、要診断領域情報作成部５４２が、ステップｅ１で抽出した要診断領域毎にその特徴量を算出する（ステップｅ３）。算出する特徴量としては、例えば、色素量、色情報補正係数、構成要素情報等が挙げられる。以下、これら各特徴量の算出手順について順次説明する。なお、特徴量としてこれら全てを算出する必要はなく、いずれか１つ以上を算出することとしてもよい。また、ここで挙げた特徴量は一例であって、バーチャルスライド画像が有するマルチスペクトル情報や染色標本ＲＧＢ画像のＲＧＢ値等をもとに別の値を算出し、特徴量としてもよい。算出した特徴量の値は、該当する要診断領域ＩＤを割り当てた要診断領域に関する情報として記憶部５５に記憶しておく。
【００８６】
色素量は、染色標本を染色している色素の色素量であり、バーチャルスライド画像が有するマルチスペクトル情報をもとに推定する。なお、この色素量、後述する細胞核についての構成要素情報および核統計量のうちの核数については、例外的にバーチャルスライド画像を構成する全ての画素位置について算出する。本実施の形態では、Ｈ＆Ｅ染色された染色標本を観察・診断対象としているため、推定の対象とする色素は、ヘマトキシリン（色素Ｈ）およびエオジン（色素Ｅ）の２種類である。
【００８７】
ここで、従来から、染色標本のマルチバンド画像をもとに染色標本上の点を染色している染色色素の色素量を定量推定する手法が知られている。例えば、非特許文献１には、色素量を推定し、推定した色素量をもとに染色標本画像の色情報を補正する手法が開示されている。また、非特許文献２には、推定した色素量をもとに標本の染色状態を定量評価する手法が開示されている。ここでは、これら非特許文献１，２に開示されている公知の技術を適用して色素量を推定する。なお、本実施の形態では、上記したように、染色標本上の各点が、得られる画像データの各画素位置に対応している。したがって、バーチャルスライド画像の画素毎に処理を行うことで、染色標本上の各点を染色している色素Ｈおよび色素Ｅの色素量を推定することができる。
【００８８】
以下、推定の手順を簡単に説明すると、先ず、上記した式（１）に従って各画素位置の分光透過率ｔ（ｘ，λ）を算出する。各画素位置の分光透過率が染色標本ＤＢ４に保存されており、図１０のステップｄ１において染色標本情報として取得されている場合には、これを用いることとしてよい。
【００８９】
この分光透過率ｔ（ｘ，λ）に関しては、ランベルト・ベール（Laｍbert-Beer）の法則が成り立つ。例えば、染色標本が色素Ｈおよび色素Ｅの２種類の染色色素で染色されている場合、ランベルト・ベールの法則により、各波長λにおいて次式（４）が成り立つ。
【数２】
2011181015.tif 000004
【００９０】
式（４）において、ｋH（λ）およびｋE（λ）は、波長λに依存して決まる物質固有の係数であり、ｋH（λ）は色素Ｈに対応する係数、ｋE（λ）は色素Ｅに対応する係数である。例えば、ｋH（λ），ｋE（λ）の各値は、染色標本を染色している色素Ｈおよび色素Ｅの分光特性値である。また、ｄH（ｘ），ｄE（ｘ）は、マルチバンド画像の各画素位置（ｘ）に対応する染色標本の各標本点における色素Ｈおよび色素Ｅの色素量に相当する。より詳細には、ｄH（ｘ）は、色素Ｈのみで染色された染色標本における色素Ｈの色素量を「１」としたときのこの色素量に対する相対的な値として求められる。同様に、ｄE（ｘ）は、色素Ｅのみで染色された染色標本における色素Ｅの色素量を「１」としたときのこの色素量に対する相対的な値として求められる。なお、色素量は、濃度とも呼ばれる。
【００９１】
ここで、上記式（４）は、波長λ毎に独立して成り立つ。また、式（４）はｄH（ｘ），ｄE（ｘ）の線形式であり、これを解く手法は一般には重回帰分析として知られている。例えば、２つ以上の異なる波長について式（４）を連立させれば、これらを解くことができる。
【００９２】
例えば、Ｍ個（Ｍ≧２）の波長λ1，λ2，・・・，λMについて式を連立させると、次式（５）のように表記できる。［］tは転置行列、［］-tは逆行列を表す。
【数３】
2011181015.tif 000005
【００９３】
そして、最小二乗推定を用いて上記式（５）を解くと次式（６）が得られ、色素Ｈの色素量の推定値ｄ＾H（ｘ）および色素Ｅの色素量の推定値ｄ＾E（ｘ）がそれぞれ求まる。なお、ｄ＾は、ｄの上に推定値を表す記号「＾（ハット）」が付いていることを示す。
【数４】
2011181015.tif 000006
【００９４】
そして、この式（６）によって、染色標本上の任意の標本点における色素Ｈおよび色素Ｅの色素量の推定値が得られる。
【００９５】
色情報補正係数は、前述のように推定される色素Ｈおよび色素Ｅの色素量を調整するための係数であり、公知の手法を適用して算出することができる。例えば、非特許文献１に開示されている手法を適用し、所定組織に含まれる色素量分布をもとに色情報補正係数を決定することとしてもよい。あるいは、非特許文献２に開示されている手法を用い、染色の選択性の悪さを示す係数と色素量との比率をもとに色情報補正係数を決定することとしてもよい。
【００９６】
構成要素情報は、要診断領域内の例えば細胞核や弾性線維、血管等の所定の構成要素の領域を設定したものであり、構成要素毎の識別画素条件を用いて作成する。以下、細胞核、弾性線維等の線維および血管についての構成要素情報の作成方法について説明するが、これら以外の構成要素について構成要素情報を作成することとしてもよい。また、細胞核、弾性線維および血管の全てについて構成要素情報を作成しなくてもよい。この場合、細胞核、弾性線維および血管のいずれについて構成要素情報を作成するかは、例えば入力部５１を介してユーザ操作を受け付け、ユーザが指定した構成要素について構成要素情報を作成するようにしてもよい。
【００９７】
先ず、細胞核についての構成要素情報の作成方法について説明するが、細胞核については、上記したように、染色標本画像の全域を対象として構成要素情報を作成することとする。色素Ｈは、細胞核を選択的に染色するため、色情報から細胞核の画素か否かを判別することが可能である。そこで、１つめの作成方法では、例えば、細胞核の識別画素条件として、予めＢ値／Ｒ値に対する閾値ＴｈB/Rを設定しておく。そして先ず、染色標本ＲＧＢ画像における要診断領域の画素位置のＲＧＢ値をもとに、そのＢ値／Ｒ値の値を算出する。続いて、算出した値を閾値ＴｈB/Rを用いて閾値処理し、各画素が細胞核の画素か否かを判定する。そして、細胞核と判定した画素を設定して細胞核についての構成要素情報とする。
【００９８】
２つめの作成方法では、上記したように算出（推定）した色素Ｈの色素量および色素Ｅの色素量によって定まる色素量空間内での判別境界を細胞核の識別画素条件として用い、構成要素情報を作成する。図１３は、ＨＥ色素量分布図の一例を示す図であり、横軸を色素Ｈの色素量、縦軸を色素Ｅの色素量としたＨＥ色素量空間における細胞核、細胞質、赤血球、弾性線維や膠原線維等の線維およびガラスの分布を示している。ここで、バーチャルスライド画像には、細胞核や細胞質、赤血球、線維の他に、染色標本が載置されるスライドガラス２１０（図７を参照）が映る。ガラスは、このスライドガラス２１０が映る画素の写像点に相当する。バーチャルスライド画像の各画素位置を、その色素Ｈおよび色素Ｅの色素量に従ってＨＥ色素量空間にプロットすると、図１３中に破線で示す判別境界Ｌ２によって、細胞核の画素と、細胞核以外の画素とを判別することができる。本作成方法では、この判別境界を細胞核の識別画素条件として用いる。
【００９９】
判別境界は、サポートベクターマシン（ＳＶＭ）等の判別器を用いることで設定できる。例えば、要診断領域内の各画素の色素Ｈおよび色素Ｅの色素含有率Ｒを特徴量として用い、細胞核の画素と細胞核以外の画素とを分類する判別境界を学習する。そして、学習した判別境界を識別画素条件として用いて構成要素情報を作成する。色素Ｈおよび色素Ｅの色素含有率Ｒは、上記したように式（６）に従って算出した色素Ｈの色素量の推定値ｄ＾H（ｘ）および色素Ｅの色素量の推定値ｄ＾E（ｘ）をもとに、次式（７）に従って算出する。
【数５】
2011181015.tif 000007
【０１００】
ＳＶＭを用いることによれば、細胞核、細胞質、赤血球、線維およびガラスに属する色素含有率データ（パターン）のうち、境界に最も近いパターンとの距離を最大にするように判別境界を決定することができる。このため、未知データを識別する確率が統計的にも高く、この作成方法を適用すれば、細胞核の画素と細胞核以外の画素とを高精度に識別することが可能である。
【０１０１】
３つめの作成方法では、予め色素含有比率Ｒに対する閾値ＴｈRを細胞核の識別画素条件として設定しておく。この場合には、先ず、要診断領域を構成する画素毎に上記した式（７）に従って色素含有比率Ｒを算出する。そして、算出した値を閾値ＴｈRを用いて閾値処理し、各画素が細胞核の画素か否かを判定することによって構成要素情報を作成する。
【０１０２】
４つ目の作成方法では、Ｈ＆Ｅ染色された染色標本内における細胞核の画素のスペクトルを取得する等して細胞核の代表的なスペクトルを事前に設定しておく。そして、スペクトルの形状の類似度を識別画素条件として用い、構成要素情報を作成する。図１４は、横軸を波長（波長数）とし、縦軸を吸光度値として細胞核のスペクトル（吸光度値）を表した図である。この場合には、バーチャルスライド画像において要診断領域を構成する各画素のマルチスペクトル情報をもとに、図１４のスペクトルの形状との類似度が予め設定される類似度閾値よりも大きい画素を細胞核の画素と判定する。
【０１０３】
以上、細胞核についての構成要素情報の４つの作成方法について説明したが、いずれか１つの作成方法を採用することとしてもよいし、例示した画素識別条件を複数組み合わせて用い、各画素識別条件を満たす画素を抽出して構成要素情報を作成することとしてもよい。
【０１０４】
次に、線維の１つである弾性線維についての構成要素情報の作成方法について説明する。例えば先ず、バーチャルスライド画像において要診断領域を構成する各画素のマルチスペクトル情報をもとに、ＳＶＭ等を用いた学習判別処理によって弾性線維に該当する画素を抽出する。そして、抽出した画素を設定して弾性線維についての構成要素情報とする。なお、弾性線維は、ある特定のバンドにおいて分光透過率が１．０以上となる現象が起こることがあるため、この現象に基づいて弾性線維の画素を抽出してもよい。
【０１０５】
また、線維についての構成要素情報を作成する場合には、先ず、バーチャルスライド画像において要診断領域を構成する各画素位置のマルチスペクトル情報をもとに、要診断領域の変化率分光画像を生成する。具体的には、図６のステップｃ１３で測定した前焦点位置または後焦点位置を焦点位置Ｆとして用いる。そして、この焦点位置Ｆとした前焦点位置または後焦点位置のバーチャルスライド画像の各画素位置について図６のステップｃ２１で上記した式（１）に従って算出した分光透過率を参照し、要診断領域内の各画素の分光透過率を取得する。続いて、任意の波長λ1，λ2間の変化率（波長間変化率；所定の波長間の分光透過率の差分の絶対値）を画素毎に算出する。変化率を算出する波長は適宜選択してよい。そして、算出した波長間変化率が最大となる画素の画素値を例えば「２５５」、波長間変化率がゼロである画素の画素値を「０（ゼロ）」として波長間変化率の大きさに応じた画素値を各画素に割り当て、変化率分光画像を作成する。その後、作成した変化率分光画像に対し、平滑化や２値化、エッジ抽出、モフォロジー（膨張・収縮）といった公知の画像処理を適宜選択的に組み合わせて行い、線維の画素を抽出する。そして、抽出した画素を設定して線維についての構成要素情報とする。
【０１０６】
なお、要診断領域の変化率分光画像にかえて差分分光画像を生成するようにしてもよい。この場合には、例えば、図６のステップｃ１３で測定した合焦位置以外の前焦点位置および後焦点位置を焦点位置Ｆα，Ｆβとして用いる。そして、前焦点位置および後焦点位置のバーチャルスライド画像の各画素位置について算出されている分光透過率を参照し、要診断領域内の各画素の分光透過率を取得する。そして、共通の画素間で所定波長λにおける分光透過率の差分を算出し、差分量に応じた画素値を各画素に割り当てて差分分光画像を生成する。その後、作成した差分分光画像に対して公知の画像処理を適宜選択的に組み合わせて行い、線維の画素を抽出して線維の構成要素情報としてもよい。
【０１０７】
次に、血管についての構成要素情報の作成方法について説明する。図１５は、要診断領域の一例であり、中央に血管が映る領域を示している。血管についての構成要素情報を作成する場合には先ず、図１５に示す血管や空孔を特定する。ここで、染色標本内の血管内腔や、血管周囲の組織が存在していない領域（空孔）は、図１５に示すように白く映り、高輝度画素を持つ領域として現れる。そこで、要診断領域から高輝度領域を抽出し、血管領域または空孔領域として特定する。
【０１０８】
具体的には先ず、上記した弾性線維についての構成要素情報の作成方法と同様の要領で、要診断領域内の弾性線維の画素を抽出する。続いて、要診断領域から高輝度領域を抽出する。上記したように、要診断領域内の高輝度領域は、血管領域であるか、または組織が存在していない空孔領域であると考えられる。このため、要診断領域の各画素のＲＧＢ値をもとに、要診断領域の画像をグレースケール画像に変換する。そして、各画素の輝度値を予め設定される閾値を用いて閾値処理し、閾値以上である画素を高輝度画素として選出する。その後、選出した高輝度画素のうち、連結している画素集合を１つの高輝度領域として抽出する。
【０１０９】
そして、以上のように高輝度領域を抽出したならば、抽出した高輝度領域のうち、周囲に弾性線維がある高輝度領域を血管領域として特定する。具体的には先ず、抽出した高輝度領域の輪郭や重心位置、周囲長等を算出し、高輝度領域を楕円近似して楕円を設定するとともに、この楕円をＫ倍したＫ倍楕円を設定する。図１６は、血管領域の特定原理を説明する図であり、抽出した高輝度領域Ｌ３について求めた重心位置Ｇ３と、この高輝度領域Ｌ３を楕円近似して設定した楕円Ｅ３およびＫ倍楕円Ｅｋ３とを示している。Ｋ倍楕円とは、楕円と重心位置が同一であって、楕円のＫ倍の面積を有するものをいう。Ｋの値は適宜設定できる。なお、図１６に示す高輝度領域Ｌ３は、図１５に示す要診断領域において中央に白く映る血管の領域に相当している。
【０１１０】
その後、高輝度領域と弾性線維との位置関係を判定する。そして、高輝度領域の輪郭位置に近い周囲に弾性線維が存在する場合に、その高輝度領域を血管領域として特定する。具体的には、高輝度領域Ｌ３の輪郭線とＫ倍楕円Ｅｋ３とで区画された図１６中のハッチングを付した領域Ｅ３１内において弾性線維が所定量以上存在しているか否かを判定する。例えば、領域Ｅ３１内の弾性線維の画素数を計数し、予め設定される所定の閾値以上の場合に所定量以上存在していると判定する。そして、弾性線維が所定量以上存在していると判定した高輝度領域Ｌ３の画素を設定して血管についての構成要素情報とする。
【０１１１】
以上のように要診断領域毎に特徴量を算出したならば、要診断領域情報作成部５４２は、図１１に示すように、算出した特徴量をもとに要診断領域毎の統計量を算出する（ステップｅ５）。算出する統計量としては、例えば、細胞核についての統計量（核統計量）、線維についての統計量（線維統計量）、血管についての統計量（血管統計量）等が挙げられる。以下、これら各統計量の算出手順について順次説明する。なお、統計量としてこれら全てを算出する必要はなく、いずれか１つ以上を算出することとしてもよい。また、ここで挙げた統計量は一例であって、要診断領域の特徴量をもとに別の値を算出し、統計量としてもよい。算出した統計量の値は、該当する要診断領域ＩＤを割り当てた要診断領域に関する情報として記憶部５５に記憶しておく。
【０１１２】
先ず、核統計量について説明する。癌の部位では、細胞核が局所的に集中して存在することが知られている。また、細胞核は、癌が進行すると、正常な場合と比べて歪みが生じる等その形状に変化が生じる。このため、核統計量として、例えば要診断領域内の細胞核の数（核数）、細胞核間の距離（核間距離）、核異型性等を算出する。
【０１１３】
先ず、特徴量として算出した細胞核についての構成要素情報をもとに、細胞核の画素（以下、「核画素」と呼ぶ。）で構成される閉領域を個別の細胞核領域として特定する。なお、上記したように、核数については染色標本画像の全域を対象として計数する。このため、染色標本画像の全域を対象として細胞核領域を特定する。
【０１１４】
具体的には、核画素を連結成分毎に区切り、区切った画素集合をそれぞれ１つの細胞核領域として特定する。連結性の判断は、適宜公知の手法を用いて行えばよく、例えば８近傍で連結性を判断する。そして、連結成分毎に固有のラベル（核ラベル）ＮＬを付与することによって、連結成分毎の画素集合のそれぞれを細胞核領域として特定する。ラベル付けの方法は公知の手法を適宜採用してよい。例えば、ラスタスキャンの順序（要診断領域の最上段のラインから下に向かって１ラインずつ、左から右に走査する順序）で各画素にラベル付けを行う手法等が挙げられ、各連結成分毎に核ラベルＮＬ＝１，２，３，・・・が整数（昇順）で付与される。
【０１１５】
ラベル付けを終えたならば、特定した染色標本画像内の細胞核領域の数（核数）を計数する。また、要診断領域毎に核数を計数する。
【０１１６】
その後は、要診断領域毎に処理を行う。具体的には先ず、細胞核領域間の距離を核間距離として算出する。図１７は、要診断領域の一例を示す模式図であり、核ラベルＮＬ＝１，２，３がそれぞれ付与された３つの細胞核領域Ｅ４１，Ｅ４２，Ｅ４３を示している。核間距離を算出する際には、先ず、各細胞核領域Ｅ４１，Ｅ４２，Ｅ４３の重心位置を算出する。ここで、核ラベルＮＬ＝１の細胞核領域Ｅ４１の重心位置をｇ1（ｘ1，ｙ1）とし、核ラベルＮＬ＝２の細胞核領域Ｅ４２の重心位置をｇ2（ｘ2，ｙ2）とすると、細胞核領域Ｅ４１と細胞核領域Ｅ４２との核間距離ｄ1,2は、次式（８）で表される。同様に、細胞核領域Ｅ４１と細胞核領域Ｅ４３との核間距離や細胞核領域Ｅ４２と細胞核領域Ｅ４３との核間距離も算出する。
【数６】
2011181015.tif 000008
【０１１７】
また、特定した細胞核領域毎に、核異型性度のレベル判定を行う。ここでは、正常な細胞核と比べて形状がどの程度異なるのかを示す指標として、例えば細胞核の大きさＳ、核境界の不整度合いσおよび円形の歪み度合いＣを用い、レベル判定を行う。
【０１１８】
先ず、細胞核の大きさＳは、該当する細胞核領域を構成する画素数を計数することで得る。
【０１１９】
核境界の不整度合いσは、細胞核領域の輪郭を形成する画素位置間を結ぶ直線の分散を算出することで得る。ここで、分散が小さいほど輪郭形状が滑らかであることを示しており、核境界の不整度合いσは、分散の大小で決定される。
【０１２０】
図１８は、核境界の不整度合いσの算出原理を説明する説明図であり、（ａ）〜（ｃ）の各図において細胞核領域Ｅ４５を示している。先ず、図１８（ａ）に示すように、ハッチングを付して示した細胞核領域Ｅ４５の輪郭画素Ｐ４５を抽出する。続いて、隣接する輪郭画素Ｐ４５間の傾きを順次算出していく。例えば、図１８（ｂ）に示すように、抽出した輪郭画素Ｐ４５の中から１つの輪郭画素Ｐ４５１を選択し、先ず、選択した輪郭画素Ｐ４５１と、この輪郭画素Ｐ４５１の例えば図１８（ｂ）中に一点鎖線の矢印で示す時計回り方向に隣接する輪郭画素Ｐ４５２とに注目する。そして、これら輪郭画素Ｐ４５１，Ｐ４５２間を結ぶ直線Ｌ４５１の傾きを算出する。ここで、輪郭画素Ｐ４５１を画素Ａ、輪郭画素Ｐ４５２を画素Ｂとし、画素Ａの座標を（ｘA，ｙA）、画素Ｂの座標を（ｘB，ｙB）とすると、画素Ａと画素Ｂとを結ぶ直線Ｌ４５１の傾きａA,Bは、次式（９）で表される。
【数７】
2011181015.tif 000009
【０１２１】
その後は、輪郭画素Ｐ４５２を画素Ａとし、輪郭画素Ｐ４５２の時計回り方向に隣接する輪郭画素Ｐ４５３を画素Ｂとして注目を移し、画素Ａ，Ｂ間の傾きを算出する。そして、同様の処理を繰り返し行い、図１８（ｃ）に示すように、全ての輪郭画素Ｐ４５間の傾きを算出する。そして、得られた傾きの分散を算出し、核境界の不整度合いσとして得る。
【０１２２】
また、特定した細胞核領域毎に、その円形度を算出して円形の歪み度合いＣを得る。ここで、円形度は、例えば、その細胞核領域の形状が真円のときに最大となり、輪郭形状が複雑になるほど小さな値として得られる値であり、例えば、細胞核領域の大きさや周囲長（輪郭画素の数）を用いて算出する。
【０１２３】
そして、以上のようにして算出した細胞核領域の大きさＳ、核境界の不整度合いσ、円形の歪度合いＣを閾値処理することによって核異型性度のレベル判定を行う。具体的には、大きさＳに適用する閾値をＴｈSとして予め設定しておき、次式（１０）を判定する。また、核境界の不整度合いσに適用する閾値をＴｈσとして予め設定しておき、次式（１１）を判定する。そして、円形の歪度合いＣに適用する閾値をＴｈCとして予め設定しておき、次式（１２）を判定する。そして、大きさＳ、核境界の不整度合いσ、円形の歪度合いＣの各値のうち、対応する各式（１０）〜（１２）に該当した数を核異型性度のレベルとして判定する。
【数８】
2011181015.tif 000010
【０１２４】
次に、線維統計量について説明する。線維統計量としては、例えば線維密集度等が挙げられる。先ず、特徴量として算出した線維（弾性線維）についての構成要素情報をもとに、線維の画素で構成される閉領域を個別の線維領域として特定する。具体的には、線維の画素を連結成分毎に区切り、区切った画素集合をそれぞれ１つの線維領域として特定する。連結性の判断は、上記した細胞核領域の特定と同様に行う。なお、線維領域の場合、複数の線維領域が交差する可能性も考えられるが、ここでは、上記した核画素を連結成分毎に区切る場合と同様の手法で線維領域を特定する。すなわち、ラスタスキャンの順序で各画素にラベルを付与する。このため、別個の線維領域がその一部の領域で交差あるいは接触していたとしても、異なるラベルを付与できるので、区別することが可能である。
【０１２５】
続いて、細線化処理を施すことによって、ノイズ等による線維領域の位置的な曖昧さを除去する。この細線化処理によって線維領域の骨格線が取得され、以降の処理において、線維領域を線状の領域として扱うことが可能となる。
【０１２６】
続いて、細線化処理された線維領域の骨格線を構成する画素について、別の線維領域の骨格線を構成する画素との位置関係をもとに線維密集度を算出する。具体的には、一方の骨格線を構成する全ての画素について他方の骨格線との平均距離を算出し、線維密集度として得る。図１９は、線維密集度の算出原理を説明する説明図であり、２つの線維領域の骨格線Ｌ５１，Ｌ５３を示している。先ず、一方の骨格線（骨格線１）Ｌ５１を構成する画素Ｐ５について、骨格線（骨格線２）Ｌ５３を構成する全ての画素Ｐ５３との間の距離を算出する。そして、算出した距離のうちの最小値を画素Ｐ５と骨格線（骨格線２）Ｌ５３との距離ｄAとする。その後、同様にして骨格線（骨格線１）Ｌ５１を構成する全ての画素について骨格線（骨格線２）Ｌ５３との距離を算出し、その平均値を平均距離ＡＤ1,2、すなわち線維密集度として算出する。
【０１２７】
なお、線維を含むその他の所定組織の形状不正度を算出する場合（例えば、前立腺の腺構造（腺房）等）には、予め臓器毎に正常組織画像を用意するとともに、正常組織の形状特徴量を定義して記憶部５５に記憶しておくこととしてもよい。そして、標本属性情報として設定されている診断対象の染色標本の臓器種類に応じて該当する臓器の正常組織画像および形状特徴量を読み出し、これらとの類似度を算出することによって形状不正度を算出することとしてもよい。
【０１２８】
次に、血管統計量について説明する。血管統計量としては、例えば形状不正度等が挙げられる。この形状不正度の算出には、血管領域を特定する際、血管領域として特定した高輝度領域について算出した輪郭およびこの高輝度領域を楕円近似して得た楕円とを用いる。
【０１２９】
図２０は、形状不正度の算出原理を説明する説明図であり、血管領域Ｌ３として特定された高輝度領域（図１６を参照）と、この高輝度領域である血管領域Ｌ３を楕円近似して得た楕円Ｅ３とを示している。先ず、血管領域Ｌ３の輪郭線と楕円Ｅ３とで区画された図２０中のハッチングを付した領域Ｅ３３の領域面積を算出する。そして、楕円Ｅ３の面積に対する領域Ｅ３３の領域面積の比率ＰＳを算出し、形状不正度として得る。ここで、血管領域Ｌ３の輪郭線と楕円Ｅ３とによって囲まれた領域Ｅ３３の領域面積をＲＳ，楕円Ｅ３の面積をＥＳとすると、比率ＰＳは、次式（１３）で表される。この比率ＰＳである形状不正度は、値が小さいほど血管の形状が崩れていることを示している。
【数９】
2011181015.tif 000011
【０１３０】
以上のように要診断領域毎に統計量を算出したならば、図１１に示すように、癌可能性度推定部５４３が、ステップｅ５で算出した要診断領域毎の統計量をもとに、各要診断領域に映る部位が癌である可能性の度合い（癌可能性度）を推定する（ステップｅ７）。例えば、癌可能性度推定部５４３は、要診断領域の統計量を、診断の際に病理医が判断する一般的な指標（診断指標）および過去の希少症例と比較することによって、要診断領域が癌である可能性が高いか否かを推定する。診断指標は、予め設定して記憶部５５に記憶しておくものとする。具体的には、この診断指標は、発生し易い癌の種類やその癌における細胞核や線維、血管等の変性状態等であり、例えば、上記した統計量あるいはこの統計量から算出される値に対する閾値として設定される。また、過去の希少症例については、例えば過去に希少症例と診断された染色標本について算出された統計量の値を設定しておく。そして、癌可能性度は、例えば「レベル１：癌の可能性は非常に低い」「レベル２：変性のみである」「レベル３：癌の可能性が高い」「レベル４：確実に癌である」「レベル５：希少症例の疑いあり」の５段階で推定される。
【０１３１】
推定手順としては例えば、要診断領域の統計量を過去の希少症例と比較することによって希少症例か否かを判定し、希少症例と判定した場合には、癌可能性度を「レベル５」として推定する。その後、希少症例でないと判定したものについて、診断指標を参照して癌可能性度が「レベル１」〜「レベル４」のいずれであるかを推定する。
【０１３２】
ここで、標本属性情報において臓器種類として「子宮頸部」が設定され、組織として「扁平上皮」が設定されている場合の「レベル１」〜「レベル４」の癌可能性度（子宮頸部扁平上皮癌の癌可能性度）の推定方法について説明する。子宮頸部扁平上皮癌では、核密集度や血管への浸潤度等を観察することで診断が行われている。そこで、例えば、核密集度および血管への浸潤度を判定する閾値を診断指標として設定しておき、先ず、核統計量である核数および核間距離をもとに、次の手順で核密集度の高低を判定する。
【０１３３】
例えば、核数に関する条件と、核間距離に関する条件の２つの条件を満たすか否かを判定することによって核密集度の高低を判定する。
【０１３４】
先ず、１つ目の核数に関する条件について説明する。バーチャルスライド画像内に含まれる細胞核領域の数をＮｕｍA、ＩＤ＝αの要診断領域内の細胞核領域の数（核数）をＮｕｍαとすると、染色標本内の細胞核の総数に対する要診断領域内の画数の比率ＲNは、次式（１４）で表される。
【数１０】
2011181015.tif 000012
【０１３５】
核数に関する条件は、算出した比率ＲNが次式（１５）を満たすか否かである。
【数１１】
2011181015.tif 000013
【０１３６】
次に、２つ目の核間距離に関する条件について説明する。ＩＤ＝αの要診断領域内の細胞核領域の面積をＳi（ｉ＝１，２，・・・，Ｎｕｍα）とすると、平均面積Ｓα￣は、次式（１６）で表される。なお、Ｓα￣は、Ｓαの上に平均値を表す記号「￣」が付いていることを示す。
【数１２】
2011181015.tif 000014
【０１３７】
ここで、細胞核領域が円形状であると仮定すると、平均面積Ｓα￣の半径ｒαは、次式（１７）によって表される。πは、円周率である。
【数１３】
2011181015.tif 000015
【０１３８】
そして、核間距離に関する条件は、この半径ｒαを用い、次式（１８）を満たすか否かによって判定する。ｄ￣は、ＩＤ＝αの要診断領域について算出されている核間距離の平均値であり、ｋは所定の係数である。なお、ｄ￣は、ｄの上に平均値を表す記号「￣」が付いていることを示す。
【数１４】
2011181015.tif 000016
【０１３９】
そして、核数に関する条件（上記した式（１５））および核間距離に関する条件（上記した式（１８））の両方を満たす場合の密集度レベルを「３」とし、いずれか一方を満たす場合の密集度レベルを１とし、いずれも満たさない場合の密集度レベルを「１」として得る。ここで得られる密集度レベルは、値が大きいほど密集度が高いことを示している。
【０１４０】
次に、血管統計量である形状不正度をもとに、血管への浸潤度を判定する。上記したように、形状不正度は、値が小さいほど血管の形状が崩れていることを示している。このため、ここでは、例えば形状不正度の値を閾値処理することによって血管への浸潤度の大小を判定する。例えば、予め形状不正度（すなわち上記した比率ＰＳ）に対する閾値ＴｈＰSを設定しておき、次式（１９）を判定する。そして、次式（１９）を満たす場合に、血管への浸潤度が大きい、すなわち、血管の形状が崩れていると判定する。
【数１５】
2011181015.tif 000017
【０１４１】
そして、以上のようにして得た密集度レベルの値と、閾値ＴｈＰSに対する形状不正度の値の大小との組み合わせをもとに、癌可能性度を推定する。例えば、予めこれらの組み合わせ毎に癌可能性度を設定した癌可能性度推定テーブルを用意して記憶部５５に記憶しておき、この癌可能性度推定テーブルを参照することで癌可能性度を推定する。図２１は、癌可能性度推定テーブルの一例を示す図である。図２１の例では、密集度レベルが「１」であり、形状不正度（比率ＰＳ）の値が閾値ＴｈPSに対して非常に小さい場合は、癌可能性度を「レベル４」として推定する。一方、密集度レベルが「３」であり、形状不正度の値が閾値ＴｈPS以上の場合には、癌可能性度を「レベル１」として推定する。
【０１４２】
なお、癌可能性度の推定方法は、上記した方法に限定されるものではない。例えば、正常組織画像および形状特徴量を臓器毎に設定して記憶部５５に記憶しておく。そして、この正常組織画像や形状特徴量との類似度を算出することによって癌可能性度を推定することとしてもよい。また、診断指標や前述のような正常組織画像および形状特徴量といった癌可能性度の推定に用いるデータは、学習用データとして例えば記憶部５５に記憶する構成としてもよい。
【０１４３】
以上のようにして要診断領域毎に癌可能性度を推定したならば、図１１に示すように、癌可能性度推定部５４３は、推定した癌可能性度が「レベル４：確実に癌である」である要診断領域の有無を判定し、「レベル４」の要診断領域があれば（ステップｅ９：Ｙｅｓ）、その要診断領域についてグレードを決定する（ステップｅ１１）。「レベル４」の要診断領域がない場合には（ステップｅ９：Ｎｏ）、ステップｅ１３に移行する。
【０１４４】
ここで、ステップｅ１１のグレードの決定手順について説明すると、先ず、「レベル４」と推定した要診断領域毎に、上記した式（１９）の条件に対する偏差δPSを次式（２０）に従って算出する。
【数１６】
2011181015.tif 000018
【０１４５】
その後、算出した偏差δPSの値を所定階層に振り分け、この偏差δPSの値が振り分けられた階層に従ってグレードを決定する。例えば先ず、要診断領域毎の偏差δPSの値をもとに、所定数ｎの各階層ｓｔｅｐｉ（ｉ＝１，２，・・・，ｎ）の偏差量を決定する。ここで、Iは階層番号を表す。そして、決定した各階層ｓｔｅｐｉの偏差量をもとに、要診断領域のそれぞれをいずれかの階層に振り分ける。本実施の形態では、例えばｎ＝５とする。各階層ｓｔｅｐｉにおける偏差量ｖａｌｕｅ（ｉ）（ｉ＝１，２，・・・，ｎ）は、各要診断領域の偏差δPSの値のうちの最大値をδPS_maxとすると、次式（２１）で表される。
【数１７】
2011181015.tif 000019
【０１４６】
そして、決定した各階層ｓｔｅｐｉの偏差量ｖａｌｕｅ（ｉ）をもとに、要診断領域のそれぞれをいずれかの階層に振り分ける。ここで振り分けられた階層がその要診断領域のグレードに相当する。推定した癌可能性度および癌可能性度が「レベル４」である要診断領域について決定したグレードは、該当する要診断領域ＩＤを割り当てた要診断領域に関する情報として記憶部５５に記憶しておく。
【０１４７】
そして、図１１に示すように、続くステップｅ１３では、制御部５６が、ステップｅ１〜ステップｅ１１の処理の結果要診断領域に関する情報として記憶部５５に記憶された要診断領域毎の位置情報、重心位置、特徴量、統計量、癌可能性度および癌可能性度が「レベル４」である要診断領域について決定したグレードの各値を要診断領域情報とし、染色標本ＩＤとともに染色標本ＤＢ４に送信して書込要求を通知する。これに応答し、送信された要診断領域情報が染色標本ＤＢ４に追加登録され、診断対象の染色標本に関する染色標本情報が更新される。その後、要診断領域情報作成処理を終え、図１０のステップｄ３にリターンしてステップｄ５の病理医選出処理に移る。図２２は、病理医選出処理の処理手順を示すフローチャートである。
【０１４８】
図２２に示すように、病理医選出処理では先ず、図１０のステップｄ１で取得された標本属性情報や図１１の要診断領域情報作成処理で作成された要観察情報等をもとに、病理医ＤＢ６に登録されている病理医の中から診断を依頼する病理医を検索する（ステップｆ１）。
【０１４９】
ここで、病理医ＤＢ６について説明する。この病理医ＤＢ６には、病理医の所属や連絡先、経歴、専門分野の他、その病理医が過去に診断した臓器の種類（診断臓器）やグレード毎の症例実績、希少症例の症例実績といった過去症例や観察手技等がリスト化され、病理医情報として登録される。図２３は、病理医ＤＢ６のデータ構成例を示す図である。図２３に示すように、病理医ＤＢ６には、病理医ＩＤと対応付けて、該当する病理医の氏名と、勤務先の医療施設等が設定される所属と、病理診断装置７のネットワークＩＤと、メールアドレスと、経歴，専門分野と、観察手技（観察手技情報）と、過去症例（診断実績情報）である診断臓器／組織およびグレード／希少症例数と、スケジュール（スケジュール情報）とが記憶される。これら病理医情報を構成する各項目のデータは、例えば関係データベース等を用いて関連付けられ、管理される。なお、病理医情報を構成する項目は例示したものに限定されるものではなく、適宜設定できる。また、病理医ＤＢ６のデータ構成はこれに限定されるものではなく、各項目の値を指定することによってその値に応じた病理医情報を取得可能な構成であればよい。
【０１５０】
ここで、観察手技、診断臓器／組織、グレード／希少症例数およびスケジュールは、データセットとして記憶され、詳細を後述するように、該当する病理医が染色標本の診断を行なう度に更新されていく。
【０１５１】
観察手技（データセットＡ−０１〜Ａ−０５，・・・）は、該当する病理医の観察手技を記憶する。本実施の形態では、例えば、観察手技として、診断時の画像種類のデータセットを記憶する。診断時の画像種類としては、例えば、染色標本ＲＧＢ画像、色素量画像、デジタルステイン画像、擬似微分干渉画像等が挙げられる。バーチャルスライド画像を加工することで、例示したような種類の異なる画像を合成することができるが、診断に用いる画像の種類は、病理医によって異なる。すなわち、色素量画像の観察・診断を好む病理医もいれば、デジタルステイン画像の観察・診断を好む病理医もいる。診断時の画像種類には、該当する病理医が診断に用いる画像の種類が設定される。この観察手技のデータセットは、例えば該当する病理医の病理診断装置７からの通知等に応じて適宜更新される。
【０１５２】
診断臓器／組織（データセットＢ−０１〜Ｂ−０５，・・・）は、該当する病理医が過去に診断した臓器および組織を記憶する。図２４−１は、図２３に示す病理医ＩＤが「１」である病理医情報の診断臓器／組織のデータセットＢ−１の一例を示す図であり、図２４−２は、図２３に示す病理医ＩＤが「２」である病理医情報の診断臓器／組織のデータセットＢ−２の他の例を示す図である。各図２４−１，図２４−２に示すように、診断臓器／組織のデータセットには、臓器の種類と組織の種類との組み合わせと対応付けて、その臓器のその組織についての症例実績（回）と、比率とが設定さる。症例回数には、過去にその臓器のその組織について診断した回数が設定される。比率には、臓器および組織の全ての組み合わせの症例実績の合計（全実績数）に対する症例実績（回）の比率が設定される。例えば、子宮頸部の扁平上皮のレコードＬ６１には、子宮頸部の扁平上皮の症例実績（回）として「３０」が設定され、全実績数に対する子宮頸部の扁平上皮の症例実績（回）の比率として「０．３８」が設定されている。
【０１５３】
ここで、図２４−１の病理医情報に該当する病理医が、臓器種類として子宮頸部が設定され、注目組織種類として扁平上皮が設定された染色標本を診断したとする。この場合には、子宮頸部の扁平上皮のレコードＬ６１において症例実績（回）が加算されて更新されるとともに、更新後の症例実績（回）をもとに比率が算出されて更新される。診断した子宮頸部および扁平上皮の組み合わせの項目（レコード）が存在しない場合には、臓器種類と注目組織種類との組み合わせ（ここでは子宮頸部と扁平上皮との組み合わせ）のレコードが新たに追加され、その症例実績（回）と比率とが設定される。このように、診断臓器／組織のデータセット（データセットＢ−０１〜Ｂ−０５，・・・）は、該当する病理医が染色標本を診断する度に該当するレコードが更新され、あるいは新たなレコードが追加されていく。
【０１５４】
グレード／希少症例数（データセットＣ−０１〜Ｃ−０５，・・・）は、該当する病理医が過去に診断した診断臓器／組織のグレード数および希少症例数を記憶する。グレードは、上記したように癌可能性度が「レベル４」の場合に決定される値であり、グレード毎に症例実績（回）と比率とを記憶する。すなわち、該当する病理医が、癌可能性度が「レベル４」である染色標本を診断すると、そのグレードの症例実績が加算され、比率が更新される。希少症例数は、希少症例の症例実績（回）を記憶する。具体的には、該当する病理医が癌可能性度が「レベル５」である染色標本を診断すると、症例実績が加算されていく。
【０１５５】
スケジュール（データセットＤ−０１〜Ｄ−０５，・・・）は、該当する病理医の所定期間（例えば１ヶ月等）分のスケジュールを記憶する。このスケジュールのデータセットは、適宜のタイミングで最新の情報に更新される。
【０１５６】
図２２のステップｆ１では、病理医検索部５６１は、以上のように構成される病理医ＤＢ６から要診断領域を診断するのに適した病理医を検索する。以下、１つ（例えば要診断領域ＩＤ＝ＩＤβ）の要診断領域に着目し、病理医の検索方法を説明する。図２５は、診断対象の染色標本の標本属性情報および着目する要診断領域の要診断領域情報の一例を示す図である。図２５に例示する診断対象の染色標本は、臓器種類が子宮頸部であり、注目組織種類が扁平上皮であり、染色方法がＨ＆Ｅ染色である。また、着目している要診断領域ＩＤ＝１βの要診断領域について推定されている癌可能性度が「レベル４」であり、グレードが「II」である。また、緊急度として「１（緊急）」が設定されている。
【０１５７】
本実施の形態では、これら診断対象の染色標本の標本属性情報および着目する要診断領域の要診断領域情報のうち、例えば、臓器種類、注目組織種類、癌可能性度（グレードが設定されている場合はグレードを含む）をもとに病理医を検索する。なお、検索に用いる項目の組み合わせはこれに限定されるものではなく、別の項目あるいは別の項目の組み合わせを適宜用いて病理医を検索することとしてよい。
【０１５８】
先ず、病理医ＤＢ６に登録されている全ての病理医情報の診断臓器／組織のデータセット（図２３のデータセットＢ−０１〜Ｂ−０５，・・・）を参照し、診断対象の染色標本の臓器種類および注目組織種類について設定されている比率が高い病理医を選出する。例えば、要診断領域情報に設定されている臓器種類が子宮頸部であり、注目組織種類が扁平上皮（図２５を参照）の場合、図２４−１に示した病理医情報のデータセットＢ−１については、レコードＬ６１が参照される。一方、図２４−２に示した病理医情報のデータセットＢ−２については、レコードＬ６２が参照される。これらレコードＬ６１，Ｌ６２では、レコードＬ６１の比率の方が値が大きいため、データセットＢ−１の病理医（病理医ＩＤ＝１）が選出されることとなる。ただし、実際には、病理医ＤＢ６には多くの病理医情報が登録されているため、ここでは、各病理医情報の中から診断対象の染色標本の臓器種類および注目組織種類について設定されている比率が高い上位Ｎ番目までの病理医を選出する。以下では、癌可能性度が「レベル４」以外の場合にＮ＝５（上位５人）とする。癌可能性度が「レベル４」の場合は、Ｎを５以上の値、例えば１０（上位１０人）とする。癌可能性度が「レベル４」の場合のＮの値が大きいのは、以下説明するようにグレードをもとに病理医をさらに絞り込むためである。なお、Ｎの値は特に限定されるものではなく、２以上の値を適宜設定できる。また、ここでは、比率の値が上位Ｎ人の病理医を選出することとしたが、予め閾値を設定しておき、この閾値よりも比率の値が大きい病理医を選出するようにしてもよい。また、ここでは、診断臓器／組織のデータセットに設定されている比率の値をもとに病理医を選出することとしたが、診断実績（回）の値をもとに病理医を選出するようにしてもよい。
【０１５９】
続いて、癌可能性度が「レベル４」の場合に、次の処理を行う。すなわち、選出した病理医情報のグレード／希少症例数のデータセット（図２３のデータセットＢＣ−０１〜Ｃ−０５，・・・）を参照し、要診断領域情報のグレードについて設定されている診断実績（回）または比率が高い上位Ｍ番目までの病理医を選出する。例えば、Ｍの最大値を５として設定しておき、最大５人の病理医を選出する。なお、Ｍの値は特に限定されるものではなく、２以上の値を適宜設定できる。
【０１６０】
その後、病理医検索部５６１は、図２２に示すように、以上のようにして絞り込まれた病理医情報のスケジュールのデータセット（図２３のデータセットＤ−０１〜Ｄ−０５，・・・）を参照し、依頼先候補病理医を選出する（ステップｆ３）。例えば、絞り込まれた病理医情報の中から、検索日以降の所定の診断期間（例えば３日）のスケジュールに空き時間が存在する病理医情報を所定数（例えば本実施の形態では３人とし、該当する病理医が３人いなければ少なくとも１人）選んで依頼先候補病理医とする。なお、ここでは最大３人を選出することとしたが、何人選出するかは適宜設定でき、１人以上であればよい。
【０１６１】
該当する病理医が存在しない場合には、標本属性情報に設定されている緊急度（図２５を参照）を判定する。緊急度の値が予め設定される閾値以下（例えば２以下とすれば、「１（緊急）」または「２（急ぎ）」）であり、診断を急ぐ場合には、癌可能性度が「レベル４」か否かによって処理を分岐する。すなわち、癌可能性度が「レベル４」以外の場合には、上位Ｎ番目よりも下位であった病理医を新たに選出する。本例では、上位６番目以降の病理医を順次選出し、スケジュールのデータセットを参照して空き時間が存在するか否かを判定する。そして、空き時間が存在した病理医を依頼先候補病理医とする。癌可能性度が「レベル４」の場合には、上位Ｍ番目よりも下位であった病理医を新たに選出し、癌可能性度が「レベル４」以外の場合と同様にして、スケジュールに空き時間が存在した病理医を依頼先候補病理医とする。一方、緊急度の値が予め設定される閾値より大きく（例えば「３（通常）」、急を要していない場合には、所定期間（例えば２日）ずつ最大１ヶ月まで診断期間を延長しながらスケジュールの空き状況を判別し、依頼先候補病理医を選出する。所定数の依頼先候補病理医を選出した時点でステップｆ３の処理を終える。
【０１６２】
以上が１つの要診断領域に着目した病理医の検索方法であるが、複数の要診断領域が抽出されている場合には、各要診断領域に設定されている癌可能性度を参照し、そのうちの最も高いレベルを特定する。そして、特定したレベルを用いて上記した処理を行い、依頼先候補病理医を選出する。
【０１６３】
なお、依頼先候補病理医の選出手法は、上記した手法に限定されるものではない。例えば、癌可能性度がある特定のレベルの場合には、経歴をもとに依頼先候補病理医を選出するようにしてもよい。例えば、「癌可能性度：レベル１」については、経歴から診断経験年数の浅い病理医に依頼することも可能である。
【０１６４】
続いて、診断依頼可否判定部５６２が、ステップｆ３で選出した依頼先候補病理医の病理診断装置７に診断可否返答依頼を通知する（ステップｆ５）。具体的には、診断依頼可否判定部５６２は、依頼先候補病理医の病理医情報に設定されている病理医ＩＤ、氏名、所属、ネットワークＩＤおよびメールアドレスに従って病理診断装置７に診断可否返答依頼を通知する。複数の依頼先候補病理医が選出されている場合には、各依頼先候補病理医の病理診断装置７に対してそれぞれ診断可否返答依頼を通知する。
【０１６５】
これに応答し、診断可否返答依頼を受信した病理診断装置７では、受信した診断可否返答依頼を画面表示し、診断可否の選択を促す。そして、可否選択が操作入力されるまでの間（ステップｇ１：Ｎｏ）、待機状態となる。可否選択が操作入力された場合には（ステップｇ１：Ｙｅｓ）、選択内容（「受託可」または「受託不可（否）」）を設定した受託可否情報を情報配信器５に送信する（ステップｇ３）。
【０１６６】
図２６は、病理診断装置７に画面表示される診断可否返答依頼の一例を示す図である。図２６に示すように、診断可否返答依頼は例えばメール送信され、受託可ボタンＢ６１または受託不可（否）ボタンＢ６３の選択を促すメッセージとして画面表示されて病理医に提示される。病理医は、依頼内容や返答期限を確認し、診断を受託する場合には受託可ボタンＢ６１をクリックし、診断を受託しない場合には受託不可ボタンＢ６３をクリックして診断可否返答依頼に返答する。ここで受託可ボタンＢ６１をクリックすれば「受託可」が設定された受託可否情報が情報配信器５に送信され、受託不可ボタンＢ６３をクリックすれば「受託不可」が設定された受託可否情報が情報配信器５に送信されることとなる。
【０１６７】
一方、情報配信器５では、受託可否情報を受信すると（ステップｆ７：Ｙｅｓ）、診断依頼可否判定部５６２が、受託可否情報をもとに受託可と返答した病理医数を判定する。すなわち、受信した受託可否情報に「受託可」が設定されている場合には、その病理医を依頼先病理医として確定し、確定した依頼先病理医数を加算する。そして、診断依頼可否判定部５６２は、受託可と返答した病理医数（確定した依頼先病理医数）が上限人数（例えば３人）に達するまでの間（ステップｆ９：Ｎｏ）、ステップｆ７に戻って受託可否情報を受け付ける。このようにすることで、５人の依頼先候補病理医から先着順に依頼先病理医を確定していく。なお、ステップｆ３で選出した依頼先候補病理医が上限人数（３人）に満たない場合には、受託可と返答した病理医が全て依頼先病理医として確定すればよい。なお、ここでは上限人数を３人としたが、１人以上であればよく、適宜設定してよい。
【０１６８】
より詳細には、受信した受託可否情報に受託可が設定されており、この受託可否情報を送信した病理診断装置７の病理医を依頼先病理医として確定した場合には、診断依頼可否判定部５６２は、その病理診断装置７のネットワークＩＤにアクセス権を割り当て、診断対象の染色標本の染色標本情報にアクセス可能な状態に設定する。その後、この病理診断装置７にアクセス可能な旨の通知を行う。図２７は、病理診断装置７に画面表示されるアクセス可能な旨の通知の一例を示す図である。この通知は、図２７に示すように、診断可否返答依頼と同様にメール送信され、病理医に提示される。
【０１６９】
そして、診断依頼可否判定部５６２は、図２２のステップｆ９において上限人数に達したと判定した場合には（ステップｆ９：Ｙｅｓ）、依頼先病理医を確定する（ステップｆ１１）。
【０１７０】
より詳細には、このとき、診断可否返答依頼を送信した依頼先候補病理医のうち、受託可否情報が未受信である依頼先候補病理医の病理診断装置７に定員に達した旨の通知を行う。図２８は、病理診断装置７に画面表示される定員に達した旨の通知の一例を示す図である。この通知は、図２８に示すように、診断可否返答依頼と同様にメール送信され、病理医に提示される。
【０１７１】
続く図２２のステップｆ１３では、提供情報作成部５４４の画像加工処理部５４５が、ステップｆ１１で確定した依頼先病理医の観察手技のデータセットを参照し、観察手技に従ってバーチャルスライド画像を画像処理（加工）して提供情報を作成する。このステップｆ１３の処理は、依頼先病理医毎に行い、各依頼先病理医に適した提供情報を作成する。
【０１７２】
具体的には、診断時の画像種類として染色標本ＲＧＢ画像が設定されている場合には、位置情報をもとに染色標本ＲＧＢ画像における要診断領域の画像データを切り出し、切り出した画像データを画像処理して加工し、提供情報を作成する。
【０１７３】
ここで、要観察領域の特徴量として算出されている色情報補正係数を用いて色素量を正規化したＲＧＢ画像（正規化ＲＧＢ画像）を生成するようにしてもよい。具体的には先ず、要観察領域を構成する各画素の色素Ｈおよび色素Ｅの色素量を色情報補正係数に従って調整する。具体的には、色情報補正係数をαH，αEとし、色素量ｄH，ｄEにこの色情報補正係数αH，αEを乗じることで色素量を調整する。調整後の色素量ｄH*，ｄE*の算出式は、次式（２２），（２３）で表される。
【数１８】
2011181015.tif 000020
【０１７４】
そして、このようにして調整した色素量ｄH*，ｄE*を上記した式（４）に代入し、得られた値を次式（２４）に従って分光透過率に変換する。これにより、調整後の色素量ｄH*，ｄE*から各画素位置の分光透過率が得られる。以上の要領で要観察領域内の各画素について分光透過率を算出したならば、上記した式（２），（３）に従って各画素のＲＧＢ値ＧRGB（ｘ）を算出し、調整後の色素量ｄH*，ｄE*をもとに正規化ＲＧＢ画像を合成する。そして、以上説明した処理を要観察領域毎に行って、各要観察領域の正規化ＲＧＢ画像を提供情報として作成する。
【数１９】
2011181015.tif 000021
【０１７５】
なお、このように色情報補正係数αH，αEを用いて色素量を調整することによれば、所望の濃度で染色された染色標本と同等の色を有する画像に補正することができる。したがって、この色情報補正係数αH，αEの値として病理医の好む値を設定しておく構成も可能である。例えば、標準的な濃度で染色された染色標本の観察を好むのか、濃く染色された染色標本の観察を好むのか、あるいは薄く染色された染色標本の観察を好むのかに応じた色情報補正係数αH，αEの値を病理医の観察手技として設定しておく構成としてもよい。そして、依頼先病理医の観察手技として設定された色情報補正係数αH，αEの値をもとに前述の手順と同様にして要観察領域を構成する各画素の色素量を調整し、調整後の色素量をもとに要観察領域のＲＧＢ画像を合成することによって提供情報を作成する構成としてもよい。
【０１７６】
一方、診断時の画像種類として色素量画像が設定されている場合には、要診断領域の色素量画像を生成する。本実施の形態では、Ｈ＆Ｅ染色された染色標本を診断対象としているため、位置情報をもとに要診断領域の各画素位置における色素Ｈの色素量を読み出し、その濃淡によって表したＨ色素量画像を生成する。同様に、要診断領域の各画素位置における色素Ｅの色素量を読み出し、その濃淡によって表したＥ色素量画像を生成する。図２９は、要診断領域のＨ色素量画像の一例を示す図である。また、図３０は、要診断領域のＥ色素量画像の一例を示す図である。
【０１７７】
また、診断時の画像種類としてデジタルステイン画像が設定されている場合には、要診断領域のデジタルステイン画像を生成する。ここで、デジタルステイン画像は、例えば細胞核や線維、血管といった所望の構成要素をあたかも特殊染色したかのように強調表示した画像のことである。具体的には、先ず、位置情報をもとに染色標本ＲＧＢ画像における要診断領域の画像データを切り出す。続いて、要診断領域の特徴量として作成した構成要素情報を参照し、各構成要素の識別画素条件に基づいて、要診断領域の画像データから細胞核、線維および血管の画素を抽出する。そして、染色標本ＲＧＢ画像における要診断領域内の細胞核、線維および血管の画素を所定の表示色で置き換えることによって、要診断領域内の構成要素を他と識別可能に強調表示したデジタルステイン画像を生成する。このとき、細胞核、線維および血管の画素を全て置き換える必要はなく、所定の構成要素の画素の表示色を置き換える構成としてよい。いずれの構成要素を強調表示するのかは、例えば入力部５１を介してユーザ操作を受け付けるようにしてもよい。また、複数の構成要素を強調表示する場合には、それぞれの画素を別個の表示色で置き換えるようにしてもよい。図３１は、弾性繊維を強調表示したデジタルステイン画像の一例を示す図である。
【０１７８】
また、診断時の画像種類として擬似微分干渉画像が設定さている場合には、要診断領域の擬似微分干渉画像を生成する。この擬似微分干渉画像は、焦点位置の異なるバーチャルスライド画像を合成して生成する。具体的には、例えば、図６のステップｃ１３で測定した合焦位置以外の前焦点位置および後焦点位置を焦点位置Ｆα，Ｆβとして用いる。そして、前焦点位置および後焦点位置のバーチャルスライド画像の各画素位置について算出されている分光透過率を参照し、所定波長λにおける分光透過率が前述の閾値以上である画素を「１」、閾値に満たない画素を「０」として、共通の画素間で論理積を求める。そして、論理積を満たす画素の画素値を「２５５」とし、満たさない画素の画素値を「０」として擬似微分干渉画像を生成する。
【０１７９】
なお、ここでは、要診断領域の画像データを切り出し、切り出した画像データを画像処理して加工し、提供情報を作成することとした。これに対し、染色標本画像の全域を加工して提供情報を作成することとしてもよい。
【０１８０】
以上のようにして提供情報を作成したならば、提供情報作成部５４４は、作成した提供情報を染色標本ＩＤとともに染色標本ＤＢ４に送信し、書込要求を通知する（ステップｆ１５）。これに応答し、送信された提供情報が染色標本ＤＢ４に追加登録され、診断対象の染色標本に関する染色標本情報が更新される。その後、病理医選出処理を終え、図１０のステップｄ５にリターンしてステップｄ７に移る。
【０１８１】
そして、ステップｄ７では、提供情報配信処理部５６３が、ステップｄ１で取得した標本属性情報および染色標本画像の画像データ、ステップｄ３の要診断領域情報作成処理で作成した要診断領域情報、図２２のステップｆ１３で作成された提供情報といった染色標本情報を診断情報とし、図２２のステップｆ１１で確定された依頼先病理医の病理診断装置７に配信する。なお、ステップｄ７の処理は、ステップｄ５の病理医選出処理の直後に行わなくてもよく、例えば依頼先病理医の病理診断装置７が情報配信器５にアクセスし、情報配信器５に対して診断開始要求を通知した際等の適宜のタイミングで行うこととしてよい。
【０１８２】
これに応答し、病理診断装置７では、受信した診断情報である標本属性情報や染色標本画像の画像データ、要診断領域情報、提供情報等を画面表示する（ステップｈ１）。この病理診断装置７の病理医は、画面表示された提供情報等の診断情報を見ながら観察・診断を行い、入力装置を操作して診断結果を入力する。そして、病理診断装置７は、操作入力に従って診断報告書情報を作成する（ステップｈ３）。
【０１８３】
例えば、病理診断装置７は、受信した診断情報をもとに、標本属性情報や染色標本画像の画像データ、要診断領域情報、提供情報等を配置した診断画面を表示する。図３２は、診断画面の一例を示す図である。図３２に示すように、診断画面は、全体画像表示部Ｗ８１と、要診断領域表示部Ｗ８３１，Ｗ８３２，Ｗ８３３と、付属情報表示部Ｗ８５とを備える。また、この診断画面には、診断完了ボタンＢ８１が配置されている。
【０１８４】
全体画像表示部Ｗ８１には、高解像画像である標本領域区画画像を結合して得たバーチャルスライド画像をもとに生成した染色標本ＲＧＢ画像が表示され、この全体画像表示部Ｗ８１に表示される染色標本ＲＧＢ画像は、不図示の拡大メニューまたは縮小メニューを選択することで部分的に拡大／縮小できるようになっている。病理診断装置７の依頼先病理医は、この全体画像表示部Ｗ８１において、実際にバーチャルスライド顕微鏡２で高倍対物レンズを用いて診断対象の染色標本を観察するのと同様の要領で、診断対象の染色標本の全域あるいは診断対象の染色標本を部分毎に高解像度で観察することができる。
【０１８５】
要診断領域表示部Ｗ８３１，Ｗ８３２，Ｗ８３３には、要診断領域毎の提供情報が表示される。本実施の形態では、提供情報は、上記したように要診断領域毎にその画像データを画像処理して加工したものである。例えば、病理診断装置７の依頼先病理医の観察手技として診断時の画像種類が「染色標本ＲＧＢ画像」が設定されている場合には、染色標本ＲＧＢ画像から切り出された要診断領域の画像データが提供情報として配信されるが、これら要診断領域毎の提供情報が要診断領域表示部Ｗ８３１，Ｗ８３２，Ｗ８３３に表示される。なお、これら要診断領域表示部Ｗ８３１，Ｗ８３２，Ｗ８３３にそれぞれ表示される要診断領域毎の画像データは、ユーザ操作に従って適宜全体画像表示部Ｗ８１に拡大表示される構成となっている。
【０１８６】
また、例えば上記した図１２の要診断領域抽出画面においてユーザ（依頼元の病理医）が要診断領域についてコメントを記入している場合には、例えば要診断領域表示部Ｗ８３３に示すように、「コメント有り」が表示される。この「コメント有り」の表示をクリックすると、その具体的な内容が表示されるようになっており、依頼先病理医はコメントの内容（依頼元の病理医の所見や疑問点、質問等）を確認しつつ診断を行うことができる。
【０１８７】
付属情報表示部Ｗ８５には、提供情報とともに受信した標本属性情報や要診断領域情報の内容が一覧表示される。依頼先病理医は、この付属情報表示部Ｗ８５において標本属性情報や要診断領域情報の内容等を参照することができる。ここで、例えば細胞核や線維、血管等の形状情報を重要視する病理医もいれば、別の特徴量あるいは統計量を重要視する病理医もいる。したがって、依頼先病理医は、要診断領域の特徴量や統計量等の中から必要な値を適宜参照しながら診断を行うことができるので、迅速な診断が実現できる。
【０１８８】
この診断画面において、例えば要診断領域表示部Ｗ８３１をダブルクリックすると、報告書作成画面が表示され、該当する要診断領域に対する所見や診断結果の記入を受け付ける。図３３は、報告書作成画面の一例を示す図である。図３３に示すように、報告書作成画面は、患者情報等の標本属性情報、あるいは診断を行った依頼先病理医の病理医情報等のうちの必要な項目、ダブルクリックした要診断領域の画像データ（提供情報）等が表示される。また、報告書作成画面は、所見記入欄Ｗ９１と、診断結果入力部Ｗ９３とを備える。
【０１８９】
ここで、診断結果入力部Ｗ９３は、例えば、病名を入力する入力ボックスＩＢ９１やグレードを入力する入力ボックスＩＢ９３が配置されるとともに、診断を確定するのか未確定とするのかを選択するための確定ボタンＢ９１および未確定ボタンＢ９３が配置されている。依頼先病理医は、例えば、病名やグレード等について確信が持てる場合には確定ボタンＢ９１をクリックする。一方、確信が持てないのであれば、未確定ボタンＢ９３をクリックする。
【０１９０】
この報告書作成画面において、依頼先病理医は、要診断領域についての所見を所見記入欄Ｗ９１に記入する。また、該当する要診断領域に対して依頼元の病理医のコメントが記入されていた場合であって、その内容が依頼先病理医に対する疑問・質問事項であった場合には、その回答を適宜所見記入欄Ｗ９１に記入する。また、依頼先病理医は、診断結果入力部Ｗ９３において、入力ボックスＩＢ９１，ＩＢ９３に病名やグレードを入力し、確定ボタンＢ９１または未確定ボタンＢ９３をクリックして該当する要診断領域についての診断を終える。
【０１９１】
なお、確定ボタンＢ９１または未確定ボタンＢ９３をクリックすると、図３２の診断画面に戻るようになっており、依頼先病理医は、同様の操作を行って要診断領域毎に所見の記入や診断結果の入力を行う。そして、全ての要診断領域についての診断を終えたならば、診断完了ボタンＢ８１をクリックして診断を完了する。この診断完了ボタンＢ８１がクリックされた際の要診断領域毎の所見および診断結果の内容が、診断報告書情報として作成される。なお、この診断完了ボタンＢ８１をクリックするまでの間は、記入済みの所見や入力済みの診断結果について変更が可能である。すなわち、要診断領域表示部Ｗ８３１をクリックすれば、該当する要診断領域についての報告書作成画面が再度表示され、既に記入済みの所見や入力済みの診断結果を変更、追記、あるいは削除することが可能である。
【０１９２】
そして、以上のようにして診断報告書情報を作成したならば、図１０に示すように、病理診断装置７は、診断報告書情報を染色標本ＩＤとともに情報統合器８に送信する（ステップｈ５）。
【０１９３】
また、病理診断装置７は、標本属性情報と診断報告書情報とを診断内容情報とし、病理診断装置７の病理医の病理医ＩＤとともに病理医ＤＢ６に送信して書込要求を通知する（ステップｈ７）。これに応答し、病理医ＤＢ６では、標本属性情報の臓器種類や注目組織種類に従い、該当する病理医情報の診断臓器／組織のデータセットを更新する。また、癌可能性度が「レベル４」であり、グレードが決定されている場合、あるいは癌可能性度が「レベル５」であり、希少症例の場合には、グレード／希少症例数のデータセットを更新する。
【０１９４】
一方、情報統合器８では、診断報告書情報とともに受信した染色標本ＩＤをもとに、診断対象の染色標本の染色標本情報を染色標本ＤＢ４から取得する（ステップｉ１）。そして、情報統合器８は、病理診断装置７から受信した診断報告書情報と、ステップｉ１で取得した染色標本情報とを統合して確定診断結果情報を作成する（ステップｉ３）。ここで、図２２のステップｆ１１で複数の依頼先病理医が確定され、図１０のステップｄ７において複数の依頼先病理医の病理診断装置７に対して診断情報が配信された場合には、情報統合器８は、各依頼先病理医の病理診断装置７からの診断報告書情報を受信することとなる。この場合には、情報統合器８は、これら受信した各依頼先病理医の病理診断装置７からの診断報告書情報を統合し、確定診断結果情報を作成する。
【０１９５】
そして、情報統合器８は、作成した確定診断結果情報を染色標本ＩＤとともに染色標本ＤＢ４に送信し、書込要求を通知する（ステップｉ５）。これに応答し、送信された確定診断結果情報が染色標本ＤＢ４に追加登録され、診断対象の染色標本に関する染色標本情報が更新される。
【０１９６】
以上説明したように、本実施の形態の病理診断システム１によれば、他の病理医に意見を求めたい染色標本画像内の要診断領域を抽出することができる。そして、この要診断領域について特徴量および統計量を算出し、癌可能性度を推定してグレードを決定することができる。
【０１９７】
また、診断対象の染色標本の標本属性情報や、例えば要診断領域の統計量をもとに推定した癌可能性度等の要診断領域情報、病理医のスケジュール等をもとに病理医を検索し、依頼先病理医を確定することができる。
【０１９８】
ここで、背景技術で示した特許文献１では、ユーザ（担当病理医）が意見を求める病理医を選定する際に、その時点でコンサルティング可能な病理医の専門分野や経歴を画面表示するようにしていた。しかしながら、専門分野や経歴だけでは、意見を求めたい症例についての診断実績や知見の有無を判断するのは困難である。実際に意見を求める病理医を選ぶ際には、その病理医がどのような症例に対する診断実績があるのか、あるいは診断対象の病理学的悪性度と同等の症例を診断したことがあるのか、希少症例に関する知見を持っているか等を考慮する必要がある。さらには診断を行うための時間的な余裕があるか等を考慮して依頼先の病理医を選ぶ必要がある。ここで、特許文献１を適用し、上記したような情報を病理医毎に提示する場合、担当病理医は、膨大な情報の中から所望の病理医を選び出さなければならず、操作が煩雑であり、選定に時間を要するという問題があった。これに対し、本実施の形態によれば、ユーザ（依頼元の病理医）は、要診断領域を抽出するだけで、診断に対する意見を求めるのに最適な病理医を依頼先病理医として自動的に選択することができる。したがって、依頼先病理医を検索するために煩雑な操作が必要ない。
【０１９９】
そして、確定した依頼先病理医の観察手技に従って少なくとも要診断領域の画像データを画像処理して加工し、提供情報を作成することができる。そして、この提供情報を含む診断情報を依頼先病理医の病理診断装置に配信することができる。したがって、要診断領域の画像データを依頼先病理医が診断し慣れた種類の画像に画像処理して加工した上で、依頼先病理医の病理診断装置７に配信することができる。
【０２００】
したがって、本実施の形態の病理診断システム１によれば、依頼先病理医は、自身の専門分野（得意分野）であって診断実績のある類似症例を通常の診断環境で診断できるため、効率良く診断が行える。これによれば、セカンド・オピニオン等のコンサルテーションを迅速に行うことができるので、診断確定までの時間の短縮が図れ、迅速に治療を開始できるようになる。
【０２０１】
また、少なくとも依頼元の病理医が意見を求めたい要診断領域について、特徴量や統計量、癌可能性度等を算出・推定し、診断情報に含めて依頼先病理医の病理診断装置に配信することができる。したがって、依頼先病理医は、これらの情報を適宜参照しながら効率よく作業することができ、迅速な診断が実現できる。
【０２０２】
なお、上記した実施の形態では、依頼先病理医の観察手技として設定されている診断時の画像種類をもとに染色標本ＲＧＢ画像、色素量画像、デジタルステイン画像または擬似微分干渉画像を提供情報として作成する場合について説明したが、これに限定されるものではない。例えば、染色標本ＲＧＢ画像に対して例えばエッジ強調処理といった各種画像処理を施して加工し、提供情報を作成するようにしてもよい。この場合には、病理医の観察手技として、染色標本ＲＧＢ画像に対して施す画像処理の種類を設定しておけばよい。
【０２０３】
また、上記した実施の形態では、要診断領域情報作成部５４２が作成した要診断領域情報を診断情報に含めて依頼先病理医の病理診断装置７に配信する構成とした。これに対し、病理医毎に診断時に必要とする特徴量や統計量の種類を観察手技として設定するようにしてもよい。そして、依頼先病理医が必要とするとして設定している特徴量や統計量の値のみを診断情報に含めて病理診断装置７に配信するようにしてもよい。
【０２０４】
また、上記した実施の形態では、図２２のステップｆ１において、診断対象の染色標本の標本属性情報および着目する要診断領域の要診断領域情報をもとに病理医を検索することとした。これに対し、例えば提供情報として提供可能な画像の種類に対して優先順位を設定しておき、病理医ＤＢ６において観察手技として設定されている診断時の画像種類をもとに病理医を検索するようにしてもよい。例えば、提供情報として提供可能な画像の種類の優先順位としてデジタルステイン画像を優先する設定がされている場合には、観察手技のデータセットにおいて診断時の画像種類としてデジタルステイン画像が設定されている病理医情報を病理医ＤＢ６から先ず検索し、絞り込むようにしてもよい。そしてその後、絞り込んだ病理医情報を対象に、上記した実施の形態と同様の要領で依頼先候補病理医を選出する処理（診断対象の染色標本の標本属性情報および着目する要診断領域の要診断領域情報を用い、診断実績情報等をもとに依頼先候補病理医を選出する処理）を行うようにしてもよい。例えば、デジタルステイン画像のような高付加価値な観察手技を利用した診断によって確かな診断結果が期待できることが予め分かっているのであれば、デジタルステイン画像を診断時の画像種類として用いている病理医を検索・選出することで、診断対象の染色標本をより適切な病理医に診断してもらうことが可能となる。
【０２０５】
具体的には、提供情報として提供可能な画像の種類（図４の例では、ＲＧＢ画像／色素量画像／デジタルステイン画像／擬似微分干渉画像等）と、病理医情報の観察手技に設定されている診断時の画像種類との組み合わせで最適なものを選ぶようにする。例えば、デジタルステイン画像が最優先として設定され、疑似微分干渉画像が２番目に優先順位が高いとして設定されていたとする。この場合には、観察手技のデータセットにおいて診断時の画像種類としてデジタルステイン画像が設定されている病理医情報を病理医ＤＢ６から選出して絞り込んだ上で、標本属性情報や要診断領域情報を用いて依頼先候補病理医を選出する。依頼先候補病理医が選出されなければ、診断時の画像種類として擬似微分干渉画像が設定されている病理医情報を病理医ＤＢ６から選出して絞り込んだ上で、標本属性情報や要診断領域情報を用いて依頼先候補病理医を選出する。依頼先候補病理医が選出されなければ、最後に、診断時の画像種類としてデジタルステイン画像および擬似微分干渉画像以外（ＲＧＢ画像または色素量画像）が設定されている病理医情報を病理医ＤＢ６から選出して絞り込んだ上で、標本属性情報や要診断領域情報を用いて依頼先候補病理医を選出する。
【０２０６】
また、遠隔地にある病理医間でコンサルテーションを行う遠隔診断システムにおける情報の授受に関しては、以下説明する方法がガイドラインに示されて推奨されている。上記した実施の形態の病理診断システム１においても、この方法に沿って情報を授受するのがよい。以下、この方法について簡単に説明する。
【０２０７】
遠隔診断・コンサルテーションを依頼する依頼側施設では、遠隔診断の必要が生じた場合に、その旨を受託側施設に伝え、遠隔診断の実施を電話等で予約する（工程１）。受託側施設では、その予約日時において、遠隔診断の実施に対して準備をし、十分な体制を整える（工程２）。
【０２０８】
また、依頼側施設の主治医は、遠隔診断を行う受託側施設の担当の病理医（受託側担当医）に、依頼する遠隔診断の症例の臨床情報の要点、遠隔診断対象の検体の種別、個数、目的等を伝える（工程３）。その後、実際に遠隔診断対象の検体が提出された時点で、依頼側施設の主治医は、標本の作製を開始することを受託側施設に電話等で伝える（工程４）。
【０２０９】
工程４での標本作成の開始の連絡を受けた受託側施設では、受託側担当医が、遠隔診断システムを起動する（工程５）。一方、依頼側施設の担当の検査技師は、標本を作製してその画像（例えばマルチバンド画像）を取り込み、取り込んだ標本の画像を含む送信情報を受託側施設の受託側担当医に宛てて送信する（工程６）。
【０２１０】
工程６の送信情報を受信した受託側施設の受託側担当医は、標本の画像を画面表示して観察し、診断を行う。また、必要に応じて依頼側施設の主治医に情報の追加を求める（工程７）。そして、受託側施設の受託側担当医は、工程７での診断過程および結果を電話等で直接依頼側施設の主治医に伝える（工程８）。また、この電話等の際には、依頼側施設および受託側施設で同期・共有するコンピュータ画面上に決め手となった診断画像情報を提示するとともに、診断結果を文字情報として提示し、診断過程および結果を依頼側施設の主治医に確実に伝える。
【０２１１】
依頼側施設の検査技師は、遠隔診断が終了した後、作製した標本を速達等の方法で遠隔診断を担当した受託側施設の受託側担当医に速やかに届ける（工程９）。受託側施設の受託側担当医は、工程９で届いた標本を受け取り次第、顕微鏡を用いて届いた標本を直接観察し、再度診断を行って工程７での遠隔診断の正誤を判定する（工程１０）。工程１０において診断に誤りがあったと判定した場合には、その旨を依頼側施設の主治医に遅滞なく伝える（工程１１）。
【０２１２】
以上のようにして得られた遠隔診断の診断過程および結果は、標本の画像等の送信情報の全てとともに適切な電子媒体に保存記録し、必要な場合には直ちに再生できるようにしておく（工程１２）。また、依頼側施設のテレパソロジー関係者と受託側施設の受託側担当医とは、定期的に直接対面の会合を持ち、内外のテレパソロジーに関する諸問題の情報を共有し、よりよい運営方法と活用法を検討する（工程１３）。
【０２１３】
なお、工程６においてマルチバンド画像を遠隔の受託側施設に送信する場合に用いる画像フォーマットの例として、非特許文献３には、スペクトル画像システムの例が開示されている。簡単に説明すると、非特許文献３では、ＩＣＣプロファイルで規定されているＣＩＥ１９３１ＸＹＺのみならず、分光透過率までも利用できるとしている。ＰＣＳとして何を用いるかによって、プロファイルとして必要となるデータが異なってくる。例えば、ＰＣＳを分光透過率での色空間とした場合について考える。この場合、画像入力装置からの画像データには、スペクトルベースでの色再現処理がなされて表示装置等へ出力するための色変換処理が行われる。
【０２１４】
この色変換処理では、画素毎に分光透過率の推定が行われて分光透過率画像データが生成される。この分光透過率画像データは、デバイスインデペンデントの（機器依存性の無い）カラー情報となる。こうして得られた分光透過率画像データは、ＰＣＳとして扱うことの可能な信号（データ）と解釈される。ここで、分光透過率の推定を行う場合、一般的には、分光透過率推定行列を用いる。この分光透過率推定行列自体、または分光透過率推定行列を求めるのに必要な情報が、画像入力装置とＰＣＳとを関係付けるデータであるところの入力プロファイルに含まれている。
【０２１５】
そして、ＰＣＳ空間の画像データであれば、出力先の機器の特性を意識することなく、画像データを保存したり、伝送したりすることが行えるようになる。しかし、保存または伝送を考えたとき、画像データを構成する各画素が分光透過率データを保持していると、データ容量が大きくなる。例えば、画像データを構成する各画素のひとつ一つが波長方向の次元数分のデータを有すると、画素数に前記次元数を乗じた量の画像データを保存または伝送する必要がある。したがって、保存または伝送に係るデータ容量の増加を抑制する上では、撮影信号および上記した入力プロファイルの双方をデータとして保存または伝送し、そのデータを読み出したあるいは受信した機器においてＰＣＳ空間の画像データを生成するのが望ましい。
【産業上の利用可能性】
【０２１６】
以上のように、本発明の情報配信装置および病理診断システムは、病理医による迅速な診断を実現するのに適している。
【符号の説明】
【０２１７】
１      病理診断システム
２      バーチャルスライド顕微鏡
２１      電動ステージ
２２１，２３１      モータ
２２３      ＸＹ駆動制御部
２３３      Ｚ駆動制御部
２４      顕微鏡本体
２５１      コレクタレンズ
２５２      照明系フィルタユニット
２５３      視野絞り
２５４      開口絞り
２５５      折曲げミラー
２５６      コンデンサ光学素子ユニット
２５７      トップレンズユニット
２６      レボルバ
２７      対物レンズ
２８      光源
２９      鏡筒
２９１      ビームスプリッタ
３０      フィルタユニット
３１      双眼部
３２      ＴＶカメラ
３３      顕微鏡コントローラ
３４      ＴＶカメラコントローラ
３５      制御部
４      染色標本ＤＢ
５      情報配信器
５１      入力部
５２      表示部
５３      通信部
５４      画像処理部
５４１      要診断領域抽出処理部
５４２      要診断領域情報作成部
５４３      癌可能性度推定部
５４４      提供情報作成部
５４５      画像加工処理部
５５      記憶部
５６      制御部
５６１      病理医検索部
５６２      診断依頼可否判定部
５６３      提供情報配信処理部
６      病理医ＤＢ
７（７−１，７−２，７−３，・・・）      病理診断装置
８      情報統合器
【図１】
2011181015.tif 000022
【図２】
2011181015.tif 000023
【図３】
2011181015.tif 000024
【図４】
2011181015.tif 000025
【図５】
2011181015.tif 000026
【図６】
2011181015.tif 000027
【図７】
2011181015.tif 000028
【図８】
2011181015.tif 000029
【図９】
2011181015.tif 000030
【図１０】
2011181015.tif 000031
【図１１】
2011181015.tif 000032
【図１２】
2011181015.tif 000033
【図１３】
2011181015.tif 000034
【図１４】
2011181015.tif 000035
【図１５】
2011181015.tif 000036
【図１６】
2011181015.tif 000037
【図１７】
2011181015.tif 000038
【図１８】
2011181015.tif 000039
【図１９】
2011181015.tif 000040
【図２０】
2011181015.tif 000041
【図２１】
2011181015.tif 000042
【図２２】
2011181015.tif 000043
【図２３】
2011181015.tif 000044
【図２４−１】
2011181015.tif 000045
【図２４−２】
2011181015.tif 000046
【図２５】
2011181015.tif 000047
【図２６】
2011181015.tif 000048
【図２７】
2011181015.tif 000049
【図２８】
2011181015.tif 000050
【図２９】
2011181015.tif 000051
【図３０】
2011181015.tif 000052
【図３１】
2011181015.tif 000053
【図３２】
2011181015.tif 000054
【図３３】
2011181015.tif 000055